(57)【要約】【課題】適切な通信品質の測定を行なうことができ、かつ汎用性に優れた無線通信装置、無線通信システムおよび測定方法を提供し、適切な送信電力制御を行なうことができ、かつ汎用性に優れた無線通信装置、無線通信システムを提供する。【解決手段】信号の送信を許可する通信権を付与する通信許可信号を受信した場合、受信信号解析手段により、受信信号が他の無線通信装置宛に通信権を付与する通信許可信号であると解析された場合、他の無線通信装置との通信品質を所定期間内で測定する。【選択図】図４
2006191532.tif 000002
【特許請求の範囲】
【請求項１】
制御局としての無線通信装置から、所定期間を定めて信号の送信を許可する通信権を付与する通信許可信号を受信した場合に、信号を送信する他の無線通信装置から信号を受信する無線通信装置であって、
受信した受信信号を解析する受信信号解析手段と、
通信品質を測定する測定手段とを備え、
前記測定手段は、前記受信信号解析手段により、前記受信信号が前記他の無線通信装置宛に前記通信権を付与する前記通信許可信号であると解析された場合、前記他の無線通信装置との通信品質を前記所定期間内で測定する、無線通信装置。
【請求項２】
前記測定手段により測定された前記通信品質の測定結果を示す品質情報信号を、前記通信権が付与された前記他の無線通信装置に送信する通信品質送信手段をさらに備える、請求項１に記載の無線通信装置。
【請求項３】
制御局としての無線通信装置から、所定期間を定めて信号の送信を許可する通信権を付与する通信許可信号を受信した場合に、他の無線通信装置に対して信号を送信する無線通信装置であって、
受信した受信信号を解析する受信信号解析手段と、
前記他の無線通信装置に送信する送信信号の送信電力を制御する送信電力制御手段と、
前記送信電力制御手段により制御された送信電力の情報である送信電力情報を記憶する送信電力情報記憶手段とを備え、
前記送信電力制御手段は、前記受信信号解析手段により、前記受信信号が自装置宛であり、かつ、前記他の無線通信装置が前記所定期間内で測定した、自装置との通信品質を示す品質情報信号であると解析された場合に、前記送信電力情報と前記品質情報信号に示された前記通信品質の測定結果とに基づいて、前記他の無線通信装置に送信する前記送信信号の前記送信電力を制御する、無線通信装置。
【請求項４】
前記送信電力情報記憶手段は、前記送信電力制御手段により前記送信信号の前記送信電力を制御したときの送信電力制御時刻をさらに記憶し、
前記品質情報信号は、前記通信品質の測定開始時刻を示す情報を含み、
前記送信電力制御手段は、前記受信信号解析手段により、前記受信信号が自装置宛であって、かつ、前記品質情報信号であると解析された場合であって、さらに、前記通信品質の測定開始時刻が前記送信電力制御時刻以後であると解析された場合、前記送信電力情報と前記品質情報信号に示された前記通信品質の測定結果とを用いて、前記他の無線通信装置に送信する前記送信信号の前記送信電力を制御する、請求項３に記載の無線通信装置。
【請求項５】
所定期間の信号の送信を許可する通信権を制御局から与えられた送信局と通信を行なう、受信局としての無線通信装置であって、
前記送信局に対する前記通信権を付与する信号を受信した場合、前記送信局との通信品質を前記所定期間内で測定する測定手段を備える、無線通信装置。
【請求項６】
所定期間の信号の送信を許可する通信権を制御局から与えられた送信局と通信を行なう、受信局としての無線通信装置であって、
前記送信局に前記通信権が付与されたことを認識した場合、前記送信局との通信品質を前記所定期間内で測定する測定手段を備える、無線通信装置。
【請求項７】
前記測定手段により測定された前記通信品質の測定結果を少なくとも含む測定情報を、前記送信局に送信する通信品質送信手段をさらに備える、請求項５または請求項６に記載の無線通信装置。
【請求項８】
受信信号を判定する、受信信号判定手段をさらに備え、
前記受信信号判定手段は、前記受信信号が前記通信権が付与されてから、最初に送信された信号であるか否かを判定し、
前記受信信号判定手段が、前記最初に送信された信号であると判定した場合に、前記測定手段は、前記最初に送信された信号を除いて、前記通信品質の測定を行なう、請求項５〜請求項７のいずれかに記載の無線通信装置。
【請求項９】
前記受信信号が前記通信権に対応する前記所定期間が終了することを示す信号であると、前記受信信号判定手段により判定された場合、前記測定手段は、前記通信品質の測定を終了する、請求項８に記載の無線通信装置。
【請求項１０】
前記無線通信装置は、前記送信局に対して前記所定期間の信号の送信を許可する前記通信権を付与する機能を有する、請求項６〜請求項９のいずれかに記載の無線通信装置。
【請求項１１】
所定期間の信号の送信を許可する通信権を制御局から与えられることにより、受信局と通信する送信局としての無線通信装置であって、
前記受信局との通信品質の測定結果に基づいて、前記受信局に対して送信する送信信号の送信電力を制御する送信電力制御手段を備える、無線通信装置。
【請求項１２】
前記通信品質は、前記所定期間内で測定される、請求項１１に記載の無線通信装置。
【請求項１３】
前記通信品質は、前記受信局にて測定され、前記通信品質の測定結果を少なくとも含む測定情報を前記受信局から受信する、請求項１２に記載の無線通信装置。
【請求項１４】
前記送信電力の情報を記憶する送信電力情報記憶手段をさらに備え、
前記送信電力制御手段は、前記送信電力情報記憶手段に記憶されている前記送信電力の情報と、前記通信品質の測定結果とに基づいて、前記受信局に対して送信する送信信号の送信電力を制御する、請求項１３に記載の無線通信装置。
【請求項１５】
前記送信電力情報記憶手段は、前記受信局に対して送信する前記送信信号の送信電力を前記送信電力制御手段が制御したときの時刻である送信電力制御時刻をさらに記憶し、
前記測定情報は、前記通信品質の測定開始時刻をさらに含み、
前記送信電力制御手段は、前記測定開始時刻が前記送信電力制御時刻以後である場合、前記送信電力情報記憶手段に記憶されている前記送信電力の情報と、前記通信品質の測定結果とに基づいて、前記受信局に送信する前記送信信号の前記送信電力を制御する、請求項１４に記載の無線通信装置。
【請求項１６】
前記測定情報を前記受信局から受信した場合に、前記測定情報を記憶する通信品質記憶手段をさらに備える、請求項１３〜請求項１５のいずれかに記載の無線通信装置。
【請求項１７】
前記送信電力制御手段は、前記通信品質記憶手段に記憶された前記測定情報と、前記送信電力情報記憶手段に記憶された前記送信電力の情報とに基づいて、前記受信局に対して送信する前記送信信号の前記送信電力を制御する、請求項１６に記載の無線通信装置。
【請求項１８】
前記送信電力制御手段は、前記通信品質記憶手段に記憶されている前記測定情報に含まれる前記通信品質の測定開始時刻が、前記送信電力情報記憶手段に記憶されている前記送信電力制御時刻以後である場合に、前記通信品質記憶手段に記憶されている前記測定情報に含まれる前記通信品質の測定結果と前記送信電力情報記憶手段に記憶されている前記送信電力の情報とに基づいて、前記受信局に対して送信する前記送信信号の前記送信電力を制御する、請求項１７に記載の無線通信装置。
【請求項１９】
前記受信局に対して送信する前記送信信号が、前記通信権が付与されてから、最初に送信する信号であるか否かを判定する送信信号判定手段をさらに備え、
前記送信信号判定手段が、前記送信信号が前記最初に送信する信号であると判定した場合に、前記送信電力制御手段は、前記送信信号の前記送信電力を前記受信局および前記制御局が受信することができる電力に制御する、請求項１２または請求項１３に記載の無線通信装置。
【請求項２０】
前記送信信号判定手段は、前記送信信号が複数の前記受信局に対して送信する信号であるか否かをさらに判定し、
前記送信信号判定手段が、前記送信信号が前記複数の受信局に対して送信する信号であると判定した場合に、前記送信電力制御手段は、前記送信信号の前記送信電力を所定電力に制御する、請求項１９に記載の無線通信装置。
【請求項２１】
前記無線通信装置は、前記所定期間の信号の送信を許可する前記通信権を付与する機能を有する、請求項１１〜請求項２０のいずれかに記載の無線通信装置。
【請求項２２】
所定期間の信号の送信を許可する通信権を付与する制御局と、前記通信権が付与された第１の無線通信装置が送信した信号を受信することができる第２の無線通信装置とから構成される無線通信システムであって、
前記第２の無線通信装置は、
受信した受信信号を解析する受信信号解析手段と、
前記受信信号が、前記受信信号解析手段により、前記第１の無線通信装置宛に前記通信権を付与する信号であると解析された場合に、前記第１の無線通信装置との通信品質を前記所定期間内で測定する測定手段とを備える、無線通信システム。
【請求項２３】
前記第２の無線通信装置は、
前記測定手段により測定された前記通信品質の測定結果を示す信号を、前記第１の無線通信装置に送信する通信品質送信手段をさらに備える、請求項２２に記載の無線通信システム。
【請求項２４】
前記第２の無線通信装置は、
前記第１の無線通信装置に信号を送信する送信手段と、
前記第１の無線通信装置に送信する送信信号の送信電力を制御する送信電力制御手段と、
前記送信電力制御手段により制御された送信電力の情報である送信電力情報を記憶する送信電力情報記憶手段とを備え、
前記制御局により前記通信権が付与された第２の無線通信装置は、前記第１の無線通信装置から送信された前記通信品質の測定結果を受信した場合に、前記送信電力制御手段は、前記送信電力情報記憶手段に記憶されている前記送信電力情報と前記通信品質の測定結果とに基づいて、前記第１の無線通信装置に送信する前記送信信号の前記送信電力を制御する、請求項２３に記載の無線通信システム。
【請求項２５】
所定期間の信号の送信を許可する通信権を制御局から与えられた送信局と通信を行なう、受信局としての無線通信装置に測定処理を行なわせる測定方法であって、
前記送信局に前記通信権が付与されたことを認識する工程と、
前記送信局に前記通信権が付与されたことが認識された場合、前記送信局との通信品質を前記所定期間内で測定する工程とを含む、測定方法。
【請求項２６】
前記通信品質を測定する工程は、前記所定期間内で受信電界強度を測定する工程を含む、請求項２５に記載の測定方法。
【発明の詳細な説明】
【技術分野】
【０００１】
本発明は、無線通信装置、無線通信システムおよび測定方法に関し、特に、通信品質に基づいて送信する信号（フレーム）の送信電力制御に代表される通信制御を行なうことができる無線通信装置、無線通信システムおよび測定方法に関する。
【背景技術】
【０００２】
携帯電話やＰＨＳ（Personal Handyphone System）、無線ＬＡＮ（Local Area Network）の機能を搭載したノート型パソコン等の無線通信装置は、電池を電源として動作する。無線通信装置の使用継続時間を長くするために、消費電力を低減することが重要な課題である。消費電力を低減するためには、送信電力を低く抑えることが特に有効である。
【０００３】
送信電力を低く抑えるために、たとえば、次のような制御方法がとられている。受信側の無線通信装置は、送信側の無線通信装置から送信されてくる電波に基づいて受信電界強度を測定し、測定した受信電界強度の情報を送信側の無線通信装置に送信する。送信側の無線通信装置は、受信側の無線通信装置から受信した受信電界強度の情報に基づいて通信を損なわない範囲で送信電力を低い値に設定し、データの送信をする。
【０００４】
無線ＬＡＮ規格の中には、ＩＥＥＥ８０２．１１という標準規格群がある。ＩＥＥＥ８０２．１１は、いくつかのタスクグループによって各規格が定められている。主なタスクグループにより定められている規格としてＩＥＥＥ８０２．１１ｈがある。ＩＥＥＥ８０２．１１ｈは、ヨーロッパで５ＧＨｚ帯無線ＬＡＮを使用する際の規格を規定したものである。ＩＥＥＥ８０２．１１ｈでは、無線通信装置の消費電力を低減するためにＴＰＣ（Transmit Power Control）およびＤＦＳ（Dynamic Frequency Selection）が規定されて
いる。ＴＰＣは、無線通信装置であって端末局であるＳＴＡ（STAtion）と後述する制御局であるＡＰ（Access Point）との距離等の条件によって送信電力を制御する機能である。ＤＦＳは、無線チャネルの品質に応じて無線チャネルを動的に変更し、混信等のない無線チャネルを自動的に選択する機能である（非特許文献１）。
【０００５】
また、別のタスクグループにより定められている規格としてＩＥＥＥ８０２．１１ｅがある。ＩＥＥＥ８０２．１１ｅのドラフトでは、ＩＥＥＥ８０２．１１のＭＡＣ規格と互換性を保ちながら、ＱｏＳ（Quality of Service）保証通信およびＤＬＳ（Direct Link Setting）の仕組み等が規定されている。ＱｏＳは、ネットワーク上でストリーム等を送
信するための帯域を確保して一定の通信速度を保証する技術である。ＤＬＳは、ＡＰを介さずに無線通信装置であって端末局であるＳＴＡ同士が直接通信を行なうための仕組みである（非特許文献２）。
【０００６】
次に、図４５および図４６から図４９までを参照して、ＳＴＡ（無線通信装置）１１０２がＤＬＳを用いてＴＰＣを行なう手順について説明する。図４５は、１つのＢＳＳ（Basic Service Set）１１１０で構成されるインフラストラクチャネットワークの概略を示す図である。ＢＳＳ１１１０は、たとえば、制御局として設定されている無線通信装置であるＡＰ１１０１、無線通信装置であるＳＴＡ１１０２およびＳＴＡ１１０３から構成されている。ここでは、ＳＴＡ１１０２を本来送りたいフレームを送信する送信側の無線通信装置（送信局）とし、ＳＴＡ１１０３をＳＴＡ１１０２が送信した本来送りたいフレームを受信する受信側の無線通信装置（受信局）として説明を進める。
【０００７】
図４６は、送信側のＳＴＡ１１０２が送信電力を制御してフレームを送信する処理の流れを示す図である。まず、送信側のＳＴＡ１１０２は、受信側のＳＴＡ１１０３に無線通信路（チャネル）の品質（以下「通信品質」ともいう）の測定を命令するフレーム（Measurement Request Frame）３９００を送信する（ステップＳ（以下、単に「Ｓ」と記載する）３８００）。
【０００８】
ここで、フレーム（Measurement Request Frame）３９００について説明する。図４７は、フレーム（Measurement Request Frame）３９００の一部のフレームフォーマットを
示す図である。フレーム（Measurement Request Frame）３９００の一部では、測定種目
（Measurement Type）フィールド３９０１、測定チャネル（Channel Number）フィールド３９０２、測定開始時刻（Measurement Start Time）フィールド３９０３および測定期間（Measurement Duration）フィールド３９０４の測定条件が指定されている。
【０００９】
再び図４６を参照して、フレーム（Measurement Request Frame）３９００を受信した
受信側のＳＴＡ１１０３は、フレーム（Measurement Request Frame）３９００で指定された測定条件に従って通信品質の測定を行なう（Ｓ３８０５）。ＳＴＡ１１０３は、たとえば、受信電界強度等を通信品質として測定する。その後、受信側のＳＴＡ１１０３は、ＳＴＡ１１０２に測定結果である通信品質の情報（以下「通信品質情報」ともいう）を示すフレーム（Measurement Report Frame）４０００を送信する（Ｓ３８１０）。
【００１０】
ここで、フレーム（Measurement Report Frame）４０００について説明する。図４８は、フレーム（Measurement Report Frame）４０００の一部のフレームフォーマットを示す図である。図４９は、ＲＰＩ（Receive Power Indicator）ヒストグラム情報の受信レベ
ル毎の定義を示した図である。フレーム（Measurement Report Frame）４０００の一部では、測定種目（Measurement Type）フィールド４００１、測定チャネル（Channel Number）フィールド４００２、測定開始時刻（Measurement Start Time）フィールド４００３および測定期間（Measurement Duration）フィールド４００４が明記されている。また、測定種目フィールド４００１に図４９に示すようなＲＰＩヒストグラム情報であることが明記されるときは、フレーム４０００には、図４８に示すような受信レベル毎（ＲＰＩ０ｄｅｎｓｉｔｙ４０１０〜ＲＰＩ７ｄｅｎｓｉｔｙ４０１７）の時間密度ヒストグラム情報が記される。以下においては、ＲＰＩが、Ｋ（自然数）であるストリームデータをＲＰＩＫと表現する。
【００１１】
ＳＴＡ１１０２は、受信したフレーム（Measurement Report Frame）４０００に記されている受信レベル毎の時間密度ヒストグラム情報に基づいてＳＴＡ１１０３に送信するフレームの送信電力の制御をし、本来送りたいフレームを送信する（Ｓ３８１５）。
【非特許文献１】“IEEE Std 802.11h-2003”、［Online］、14 October 2003、［平成１７年１０月１３日検索］、インターネット〈ＵＲＬ：http:// standards.ieee.org/reading/ieee/std/lanman/restricted/802.11h-2003.pdf〉
【非特許文献２】“IEEE P802.11e/D13.0”、［Online］、January 2005、［平成１７年１０月１３日検索］、インターネット〈ＵＲＬ：http:// standards.ieee.org/reading/ieee/std/lanman/drafts/P802.11e.pdf〉
【発明の開示】
【発明が解決しようとする課題】
【００１２】
しかしながら、前述した送信電力を低く抑えるための制御方法では次のような問題点がある。ＩＥＥＥ８０２．１１の通信プロトコルには、ＣＳＭＡ／ＣＡ（Carrier Sense Multiple Access/Collision Avoidance）方式が採用されている。ＣＳＭＡ／ＣＡは、同一
チャネルに複数のＳＴＡがアクセスする際の競合を回避する手段である。具体的には、全てのＳＴＡが平等に通信することができ、かつ混信を回避するために、ＳＴＡは、他のＳＴＡからの電波を検出している間は電波の送信を見送る。
【００１３】
ＳＴＡは、一定期間他のＳＴＡからの電波を検出しなければ、ランダムなバックオフ時間が経過した後電波を送信する。つまり、ＳＴＡ１１０３が通信品質の測定を行なっている間に、ＡＰ１１０１やＳＴＡ１１０２以外のＳＴＡが送信する電波を完全に排除できない。その結果、ＳＴＡ１１０２において、送信電力制御を行なうために、ＳＴＡ１１０３で測定された通信品質情報は有効なものでない可能性がある。従って、ＳＴＡ１１０２は、フレーム（Measurement Report Frame）４０００に記されている通信品質情報に基づいて適切な送信電力の制御を行なうことができない。
【００１４】
一方、ＩＥＥＥ８０２．１１ｅのドラフトではＱｏＳ保証通信を行なう仕組みとして、ＨＣ（Hybrid Coordinator）がＳＴＡに対して所定期間にわたってフレームを送信することを許可する権利（以下、「通信権」という）を付与し、通信権を付与されたＳＴＡは所定期間にわたって他のＳＴＡにフレームを送信することができるＨＣＣＡ（ＨＣＦ（Hybrid Coordination Function） Controlled Channel Access）が規定されている。
【００１５】
通信権付与の制御を行なうＨＣの機能は、ＡＰ１１０１が兼ねることになる。したがって、ＳＴＡ１１０２はＡＰ１１０１によってどのようなタイミングでどれくらいの期間で通信権が付与されるか知ることができないため、ＳＴＡ１１０３に対して他のＳＴＡから送信される電波を排除して通信品質を測定するためのフレーム（Measurement Request Frame）３９００を送信することができない。
【００１６】
また、ＳＴＡ１１０２は、ＡＰ１１０１から何らかの方法で、通信権付与のタイミングや期間を知ることで、通信品質を測定するためのフレーム（Measurement Request Frame）３９００を送信するとしても、送信局であるＳＴＡ１１０２は、ＳＴＡ１１０３だけでなく、他のＳＴＡにフレームを送信することも考えられる。この場合、送信局であるＳＴＡ１１０２は、送信電力の制御を行なうために複数のＳＴＡにフレーム（Measurement Request Frame）３９００を送信する必要がある。送信局であるＳＴＡ１１０２は、複数のＳＴＡにフレーム（Measurement Request Frame）３９００を送るために、フレーム（Measurement Request Frame）３９００を送信するタイミング、測定開始時刻、測定期間等を計算・調整する必要がある。その結果、送信局であるＳＴＡ１１０２の機構は複雑となるため、送信電力の制御を実現するための装置コストが増大してしまう。
【００１７】
ＩＥＥＥ８０２．１１ｈでは、ある期間、指定したチャネルにおいて電波の送信を禁止するＱｕｉｅｔという仕組みが規定されている。しかし、Ｑｕｉｅｔでは、ＢＳＳ１１１０の全てのＳＴＡが電波を送信することが禁止されるため、以上の問題点を解決することはできない。
【００１８】
本発明は、係る事情に鑑み考え出されたものであり、その目的は、適切な通信品質の測定を行なうことができ、かつ汎用性に優れた無線通信装置、無線通信システムおよび測定方法を提供することである。
【００１９】
本発明の他の目的は、適切な送信電力制御を行なうことができ、かつ汎用性に優れた無線通信装置、無線通信システムを提供することである。
【課題を解決するための手段】
【００２０】
前述した目的を達成するためにこの発明のある局面によれば、制御局としての無線通信装置から、所定期間を定めて信号の送信を許可する通信権を付与する通信許可信号を受信した場合に、信号を送信する他の無線通信装置から信号を受信する無線通信装置は、受信した受信信号を解析する受信信号解析手段と、通信品質を測定する測定手段とを備え、測定手段は、受信信号解析手段により、受信信号が他の無線通信装置宛に通信権を付与する通信許可信号であると解析された場合、他の無線通信装置との通信品質を所定期間内で測定する。
【００２１】
この発明に従えば、所定期間に信号の送信を行なうことができるのは通信権を付与された無線通信装置だけであるので、通信品質を測定する無線通信装置は通信権が付与されていない無線通信装置が電波を送信することによる干渉を排除して、通信品質を測定することができる。
【００２２】
また、通信権が付与された無線通信装置が信号を送信し、他の無線通信装置宛に通信権を付与する信号を受信した無線通信装置が通信品質を測定するので、無線通信装置に複雑な機構を設けることなく、複数の無線通信装置との通信品質を測定することができる。
【００２３】
また、無線通信装置に通信品質の測定開始時期や測定期間を指示するための調整機構を備えることなく他の無線通信装置からの干渉を排除して無線通信路の品質の測定を行なうことができる。その結果、装置コストを低減させることができ、汎用性に優れた無線通信装置とすることができる。
【００２４】
また、通信権が付与された無線通信装置が信号を送信している所定期間内で通信品質を測定するため、他の通信を妨げることなく通信品質を測定することができる。また、無線通信装置が測定した結果を誤り訂正の繰り返し復号回数の打ち切りを判定する閾値などの通信制御に用いることもできる。
【００２５】
好ましくは、測定手段により測定された通信品質の測定結果を示す品質情報信号を、通信権が付与された他の無線通信装置に送信する通信品質送信手段をさらに備える。
【００２６】
この発明に従えば、通信品質送信手段により測定された通信品質の測定結果を示す信号を他の無線通信装置に送信することができ、通信品質の測定結果を用いて適切な送信電力制御を行なうことができ、かつ汎用性に優れた無線通信装置を提供することができる。
【００２７】
この発明の他の局面によれば、制御局としての無線通信装置から、所定期間を定めて信号の送信を許可する通信権を付与する通信許可信号を受信した場合に、他の無線通信装置に対して信号を送信する無線通信装置は、受信した受信信号を解析する受信信号解析手段と、他の無線通信装置に送信する送信信号の送信電力を制御する送信電力制御手段と、送信電力制御手段により制御された送信電力の情報である送信電力情報を記憶する送信電力情報記憶手段とを備え、送信電力制御手段は、受信信号解析手段により、受信信号が自装置宛であり、かつ、他の無線通信装置が所定期間内で測定した、自装置との通信品質を示す品質情報信号であると解析された場合に、送信電力情報と品質情報信号に示された通信品質の測定結果とに基づいて、他の無線通信装置に送信する送信信号の送信電力を制御する。
【００２８】
この発明に従えば、他の無線通信装置に送信する信号の送信電力を必要最小限に抑制することができ、無線通信装置の消費電力を低減させることができる。
【００２９】
好ましくは、送信電力情報記憶手段は、送信電力制御手段により送信信号の送信電力を制御したときの送信電力制御時刻をさらに記憶し、品質情報信号は、通信品質の測定開始時刻を示す情報を含み、送信電力制御手段は、受信信号解析手段により、受信信号が自装置宛であって、かつ、品質情報信号であると解析された場合であって、さらに、通信品質の測定開始時刻が送信電力制御時刻以後であると解析された場合、送信電力情報と品質情報信号に示された通信品質の測定結果とを用いて、他の無線通信装置に送信する送信信号の送信電力を制御する。
【００３０】
この発明に従えば、送信電力制御後に受信した通信品質の測定結果を示す信号が送信電力制御以前に測定されたものであっても、誤って送信電力制御することを防ぐことができる。
【００３１】
この発明の他の局面によれば、所定期間の信号の送信を許可する通信権を制御局から与えられた送信局と通信を行なう、受信局としての無線通信装置は、送信局に対する通信権を付与する信号を受信した場合、送信局との通信品質を所定期間内で測定する測定手段を備える。
【００３２】
この発明に従えば、他の無線通信装置からの干渉を排除して、送信局との通信品質を測定することができる。
【００３３】
この発明の他の局面によれば、所定期間の信号の送信を許可する通信権を制御局から与えられた送信局と通信を行なう、受信局としての無線通信装置は、送信局に通信権が付与されたことを認識した場合、送信局との通信品質を所定期間内で測定する測定手段を備える。
【００３４】
この発明に従えば、無線通信装置は、通信権を付与する信号に限らず、送信局に通信権が付与されたことを認識した場合に、所定期間内で通信品質を測定する。したがって、通信権を付与する信号（Ｐｏｌｌフレーム等）を受信せずとも、他の無線通信装置からの干渉を排除しつつ、送信局との通信品質を測定することができる。
【００３５】
好ましくは、測定手段により測定された通信品質の測定結果を少なくとも含む測定情報を、送信局に送信する通信品質送信手段をさらに備える。
【００３６】
この発明に従えば、送信局は受信局で測定された、他の無線通信装置からの干渉を排除した通信品質情報に基づいて通信制御を行なうことができる。
【００３７】
好ましくは、受信信号を判定する、受信信号判定手段をさらに備え、受信信号判定手段は、受信信号が通信権が付与されてから、最初に送信された信号であるか否かを判定し、受信信号判定手段が、最初に送信された信号であると判定した場合に、測定手段は、最初に送信された信号を除いて、通信品質の測定を行なう。
【００３８】
この発明に従えば、通信権が付与されてから最初に送信される信号は、制御局も受信できるように送信電力制御されており、この信号を除いた信号の通信品質をより精度良く測定することができるようになる。
【００３９】
好ましくは、受信信号が通信権に対応する所定期間が終了することを示す信号であると、受信信号判定手段により判定された場合、測定手段は、通信品質の測定を終了する。
【００４０】
この発明に従えば、送信局から受信局に送信される信号のみを対象とした通信品質を測定することができるようになる。
【００４１】
好ましくは、無線通信装置は、送信局に対して所定期間の信号の送信を許可する通信権を付与する機能を有する。
【００４２】
この発明に従えば、アップリンク形態において、制御機能を有する受信局が通信品質を測定することができるようになる。
【００４３】
この発明の他の局面によれば、所定期間の信号の送信を許可する通信権を制御局から与えられることにより、受信局と通信する送信局としての無線通信装置は、受信局との通信品質の測定結果に基づいて、受信局に対して送信する送信信号の送信電力を制御する送信電力制御手段を備える。
【００４４】
この発明に従えば、送信局は受信局に対する通信を損なうことなく、送信電力を低減し、低消費電力効果を得ることができる。
【００４５】
好ましくは、通信品質は、所定期間内で測定される。
この発明に従えば、他の無線通信装置からの干渉を排除して、適切に送信電力制御を行なうことができる。
【００４６】
好ましくは、通信品質は、受信局にて測定され、通信品質の測定結果を少なくとも含む測定情報を受信局から受信する。
【００４７】
この発明に従えば、受信局で測定された通信品質情報に基づいて、送信電力制御を行うことができる。
【００４８】
好ましくは、送信電力の情報を記憶する送信電力情報記憶手段をさらに備え、送信電力制御手段は、送信電力情報記憶手段に記憶されている送信電力の情報と、通信品質の測定結果とに基づいて、受信局に対して送信する送信信号の送信電力を制御する。
【００４９】
この発明に従えば、他の無線通信装置からの干渉を排除した通信品質情報と、記憶されている送信電力情報とに基づいて、送信局と受信局間の電波伝搬ロスを正確に求めて、適切な送信電力制御を行うことができる。
【００５０】
好ましくは、送信電力情報記憶手段は、受信局に対して送信する送信信号の送信電力を送信電力制御手段が制御したときの時刻である送信電力制御時刻をさらに記憶し、測定情報は、通信品質の測定開始時刻をさらに含み、送信電力制御手段は、測定開始時刻が送信電力制御時刻以後である場合、送信電力情報記憶手段に記憶されている送信電力の情報と、通信品質の測定結果とに基づいて、受信局に送信する送信信号の送信電力を制御する。
【００５１】
この発明に従えば、送信電力を制御する以前に測定が行われた通信品質の測定結果を受信した場合でも、誤った送信電力制御を行なうことを防ぐことができる。
【００５２】
好ましくは、測定情報を受信局から受信した場合に、測定情報を記憶する通信品質記憶手段をさらに備える。
【００５３】
この発明に従えば、必要な通信品質の測定結果のみを記憶することができ、まだ信号を送信していない、受信局からの通信品質情報を記憶することができる。
【００５４】
好ましくは、送信電力制御手段は、通信品質記憶手段に記憶された測定情報と、送信電力情報記憶手段に記憶された送信電力の情報とに基づいて、受信局に対して送信する送信信号の送信電力を制御する。
【００５５】
この発明に従えば、受信局から受信し、記憶していた通信品質情報と送信電力情報に基づいて、受信局に対して送信する信号の送信電力を制御することができる。
【００５６】
好ましくは、送信電力制御手段は、通信品質記憶手段に記憶されている測定情報に含まれる通信品質の測定開始時刻が、送信電力情報記憶手段に記憶されている送信電力制御時刻以後である場合に、通信品質記憶手段に記憶されている測定情報に含まれる通信品質の測定結果と送信電力情報記憶手段に記憶されている送信電力の情報とに基づいて、受信局に対して送信する送信信号の送信電力を制御する。
【００５７】
この発明に従えば、受信局から受信し、記憶していた通信品質情報と送信電力情報に基づいて、受信局に対して送信する送信信号の送信電力を制御することができ、受信局からの通信品質の測定結果を待つ必要がなくなる。
【００５８】
好ましくは、受信局に対して送信する送信信号が、通信権が付与されてから、最初に送信する信号であるか否かを判定する送信信号判定手段をさらに備え、送信信号判定手段が、送信信号が最初に送信する信号であると判定した場合に、送信電力制御手段は、送信信号の送信電力を受信局および制御局が受信することができる電力に制御する。
【００５９】
この発明に従えば、信号の送信宛先である受信局だけでなく、制御局が受信できる送信電力で送信信号を送信することにより、制御局において、通信権を付与した送信局が信号の送信を行なわなかったと、誤って判断されることを防止することができ、他の無線通信装置に通信権を付与されることを防止することができる。
【００６０】
好ましくは、送信信号判定手段は、送信信号が複数の受信局に対して送信する信号であるか否かをさらに判定し、送信信号判定手段が、送信信号が複数の受信局に対して送信する信号であると判定した場合に、送信電力制御手段は、送信信号の送信電力を所定電力に制御する。
【００６１】
この発明に従えば、複数の受信局への通信が滞ることなく、信号を送信することができるようになる。
【００６２】
好ましくは、無線通信装置は、所定期間の信号の送信を許可する通信権を付与する機能を有する。
【００６３】
この発明に従えば、ダウンリンク形態において、送信局が自らに通信権を付与する場合であっても、適切に送信電力を制御することができる。
【００６４】
この発明の他の局面によれば、所定期間の信号の送信を許可する通信権を付与する制御局と、通信権が付与された第１の無線通信装置が送信した信号を受信することができる第２の無線通信装置とから構成される無線通信システムであって、第２の無線通信装置は、受信した受信信号を解析する受信信号解析手段と、受信信号が、受信信号解析手段により、第１の無線通信装置宛に通信権を付与する信号であると解析された場合に、第１の無線通信装置との通信品質を所定期間内で測定する測定手段とを備える。
【００６５】
この発明に従えば、所定期間に送信を行なうことができるのは通信権を付与された無線通信装置だけであるので、通信品質を測定する無線通信装置は、通信権が付与されていない無線通信装置が電波を送信することによる干渉を排除して、通信品質を測定することができる。
【００６６】
また、通信権が付与された無線通信装置が信号を送信し、通信権が付与されなかった無線通信装置が通信品質を測定するので、無線通信装置に複雑な機構を設けることなく、複数の無線通信装置との通信品質を測定することができる。
【００６７】
また、無線通信装置に通信品質の測定開始時期や測定期間を指示するための調整機構を備えることなく他の無線通信装置からの干渉を排除して通信品質の測定を行なうことができる。その結果、装置コストを低減させることができ、汎用性に優れた無線通信システムとすることができる。
【００６８】
また、通信権が付与された無線通信装置が信号を送信している所定期間内で通信品質を測定するため、他の通信を妨げることなく通信品質を測定することができ、帯域を有効利用することができる。また、無線通信装置が測定した結果を誤り訂正の繰り返し復号回数の打ち切りを判定する閾値などの通信制御に用いることもできる。
【００６９】
好ましくは、第２の無線通信装置は、測定手段により測定された通信品質の測定結果を示す信号を、第１の無線通信装置に送信する通信品質送信手段をさらに備える。
【００７０】
この発明に従えば、測定手段で測定された通信品質を示す信号を第１の無線通信装置に送信することができ、通信品質の測定結果を用いて適切な送信電力制御を行なうことができ、かつ汎用性に優れた無線通信システムを提供することができる。
【００７１】
好ましくは、第２の無線通信装置は、第１の無線通信装置に信号を送信する送信手段と、第１の無線通信装置に送信する送信信号の送信電力を制御する送信電力制御手段と、送信電力制御手段により制御された送信電力の情報である送信電力情報を記憶する送信電力情報記憶手段とを備え、制御局により通信権が付与された第２の無線通信装置は、第１の無線通信装置から送信された通信品質の測定結果を受信した場合に、送信電力制御手段は、送信電力情報記憶手段に記憶されている送信電力情報と通信品質の測定結果とに基づいて、第１の無線通信装置に送信する送信信号の送信電力を制御する。
【００７２】
この発明に従えば、第１の無線通信装置に送信する信号の送信電力を必要最小限に抑制することができ、無線通信装置の消費電力を低減させることができる。
【００７３】
この発明の他の局面によれば、所定期間の信号の送信を許可する通信権を制御局から与えられた送信局と通信を行なう、受信局としての無線通信装置に測定処理を行なわせる測定方法は、送信局に通信権が付与されたことを認識する工程と、送信局に通信権が付与されたことが認識された場合、送信局との通信品質を所定期間内で測定する工程とを含む。
【００７４】
この発明に従えば、無線通信装置は、通信権を付与する信号に限らず、送信局に通信権が付与されたことを認識した場合に、所定期間内で通信品質を測定する。したがって、通信権を付与する信号を受信せずとも、他の無線通信装置からの干渉を排除しつつ、送信局との通信品質を測定することができる。
【００７５】
好ましくは、通信品質を測定する工程は、所定期間内で受信電界強度を測定する工程を含む。
【００７６】
この発明に従えば、受信電界強度を測定することができる。
【発明の効果】
【００７７】
本発明に係る無線通信装置は、信号の送信を許可する通信権を付与する通信許可信号を受信した場合、受信信号解析手段により、受信信号が他の無線通信装置宛に通信権を付与する通信許可信号であると解析された場合、他の無線通信装置との通信品質を所定期間内で測定する。
【００７８】
したがって、所定期間に信号の送信を行なうことができるのは通信権を付与された無線通信装置だけであるので、通信品質を測定する無線通信装置は通信権が付与されていない無線通信装置が電波を送信することによる干渉を排除して、通信品質を測定することができる。その結果、適切な通信品質の測定を行なうことができ、かつ汎用性に優れた無線通信装置を提供することができるという効果を奏する。
【００７９】
本発明に係る無線通信装置は、受信信号が自装置宛であり、かつ、他の無線通信装置が所定期間内で測定した、自装置との通信品質を示す品質情報信号であると解析された場合に、送信電力情報と品質情報信号に示された通信品質の測定結果とに基づいて、他の無線通信装置に送信する送信信号の送信電力を制御する。
【００８０】
したがって、他の無線通信装置に送信する信号の送信電力を必要最小限に抑制することができ、無線通信装置の消費電力を低減させることができる。その結果、適切な送信電力制御を行なうことができ、かつ汎用性に優れた無線通信装置を提供することができるという効果を奏する。
【００８１】
本発明に係る無線通信装置は、送信局に対する通信権を付与する信号を受信した場合、送信局との通信品質を所定期間内で測定する。
【００８２】
したがって、他の無線通信装置からの干渉を排除して、送信局との通信品質を測定することができる。その結果、適切な通信品質の測定を行なうことができ、かつ汎用性に優れた無線通信装置を提供することができるという効果を奏する。
【００８３】
本発明に係る無線通信装置は、所定期間の信号の送信を許可する通信権を制御局から与えられた送信局と通信を行ない、送信局に通信権が付与されたことを認識した場合、送信局との通信品質を所定期間内で測定する。
【００８４】
したがって、通信権を付与する信号（Ｐｏｌｌフレーム等）を受信せずとも、他の無線通信装置からの干渉を排除しつつ、送信局との通信品質を測定することができる。その結果、適切な通信品質の測定を行なうことができ、かつ汎用性に優れた無線通信装置を提供することができるという効果を奏する。
【００８５】
本発明に係る無線通信装置は、所定期間の信号の送信を許可する通信権を制御局から与えられることにより、受信局との通信品質の測定結果に基づいて、受信局に対して送信する送信信号の送信電力を制御する。
【００８６】
したがって、受信局に対する通信を損なうことなく、送信電力を低減し、低消費電力効果を得ることができる。その結果、適切な送信電力制御を行なうことができ、かつ汎用性に優れた無線通信装置を提供することができるという効果を奏する。
【００８７】
本発明に係る無線通信システムは、所定期間の信号の送信を許可する通信権を付与する制御局と、通信権が付与された第１の無線通信装置が送信した信号を受信することができる第２の無線通信装置とから構成される。第２の無線通信装置は、第１の無線通信装置宛に通信権を付与する信号であると解析された場合に、第１の無線通信装置との通信品質を所定期間内で測定する。
【００８８】
したがって、所定期間に送信を行なうことができるのは通信権を付与された無線通信装置だけであるので、通信品質を測定する無線通信装置は、通信権が付与されていない無線通信装置が電波を送信することによる干渉を排除して、通信品質を測定することができる。その結果、適切な通信品質の測定を行なうことができ、かつ汎用性に優れた無線通信システムを提供することができるという効果を奏する。
【００８９】
また、第２の無線通信装置は、測定手段により測定された通信品質の測定結果を示す信号を、第１の無線通信装置に送信する。
【００９０】
したがって、測定手段で測定された通信品質を示す信号を第１の無線通信装置に送信することができ、通信品質の測定結果を用いて適切な送信電力制御を行なうことができ、かつ汎用性に優れた無線通信システムを提供することができる。
【００９１】
本発明に係る測定方法は、送信局に通信権が付与されたことが認識された場合、送信局との通信品質を所定期間内で測定する。
【００９２】
したがって、通信権を付与する信号を受信せずとも、他の無線通信装置からの干渉を排除しつつ、送信局との通信品質を測定することができる。その結果、適切な通信品質の測定を行なうことができ、かつ汎用性に優れた測定方法を提供することができるという効果を奏する。
【発明を実施するための最良の形態】
【００９３】
以下に、本発明の実施の形態について図面を参照しながら詳細に説明する。以下の説明では、同一の部品には同一の符号を付してある。それらの名称および機能も同じである。従って、それらについての詳細な説明は繰り返さない。
［実施の形態１］
図１から図１０までを参照して実施の形態１について説明する。実施の形態１では、通信権を付与されたＳＴＡ１０２が、ＳＴＡ１０３にストリームデータを送信するときに如何にして送信電力を制御するかについて説明する。実施の形態１では、ＳＴＡ１０２からＳＴＡ１０３にストリームの識別子であるＴＳＩＤが「１５」のストリームデータが送信されるとする。以下においては、ＴＳＩＤが、Ｌ（自然数）であるストリームデータをＴＳＩＤＬと表現する。
【００９４】
まず、図１から図４までを参照して、受信局であるＳＴＡ１０３がＳＴＡ１０２とフレームの送受信を行なうための無線通信路の品質（通信品質）を測定し、測定結果である通信品質情報を示すフレームをＳＴＡ１０２に送信する流れについて説明する。
【００９５】
図１は、１つのＢＳＳ（Basic Service Set）１１０で構成されるインフラストラクチ
ャネットワークの概略を示す図である。ＡＰ１０１は、制御局として設定されている無線通信装置である。ＡＰ１０１は、ＳＴＡ１０２あるいはＳＴＡ１０３からフレームの送信の許可を求められたときに、所定期間を定めてフレームの送信を許可する通信権を付与するためのＰｏｌｌフレーム（QoS-CF-Pollフレーム）を送信する（すなわち、ＡＰ１０１がＨＣの機能を兼ねている）。この実施の形態１では、ＳＴＡ１０２がＳＴＡ１０３にストリームデータを送信する例について説明するため、ＡＰ１０１は、ＳＴＡ１０２宛に通信権を付与するためのＰｏｌｌフレームを送信する。
【００９６】
図２は、通信品質の測定を行なうＳＴＡ１０３の機能ブロック図である。ＳＴＡ１０３は、アンテナ２０５、受信部２１０、復調部２１５、フレーム処理部２２０、上位処理部２２５、変調部２３０、送信部２３５、通信品質測定手段２４０および通信品質送信手段２４５を備えている。受信部２１０、復調部２１５およびフレーム処理部２２０により通信品質測定手段２４０が構成されている。通信品質測定手段２４０は、通信品質を測定する測定手段である。変調部２３０および送信部２３５により通信品質送信手段２４５が構成されている。また、図示しないが、フレーム処理部２２０により受信フレーム解析手段が構成されている。
【００９７】
受信部２１０は、アンテナ２０５を介して変調されたフレーム（信号）を受信する。以下においては記載する「フレーム」は、信号と同様のものである。したがって、以下の「フレーム」との記載を、「信号」と置き換えてもよい。復調部２１５は、受信部２１０で受信され変調されたフレームを復調する。フレーム処理部２２０は、復調部２１５で復調されたフレームを復元する。また、フレーム処理部２２０は、復元したフレームを上位処理部２２５に送信する。変調部２３０は、他の無線通信装置に送信するフレームを変調する。送信部２３５は、アンテナ２０５を介して他の無線通信装置に変調部２３０で変調されたフレームを送信する。
【００９８】
図３は、フレームフォーマットの一例を示す図である。フレームは、Ｆｒａｍｅ＿Ｃｏｎｔｒｏｌフィールド３０５、Ｄｕｒａｔｉｏｎ／ＩＤフィールド３１０、Ａｄｄｒｅｓｓ１フィールド３１５、ＱｏＳ＿Ｃｏｎｔｒｏｌフィールド３２０等のヘッダ情報とＦｒａｍｅ＿ｂｏｄｙフィールド等のペイロードデータとから構成されている。Ｆｒａｍｅ＿Ｃｏｎｔｒｏｌフィールド３０５では、たとえば、フレームの種類が示されている。Ｄｕｒａｔｉｏｎ／ＩＤフィールド３１０では、たとえば、フレーム送信完了までの予約時間等が示されている。Ａｄｄｒｅｓｓ１フィールド３１５では、たとえば、宛先アドレス等が示されている。ＱｏＳ＿Ｃｏｎｔｒｏｌフィールド３２０では、たとえば、フレームの送信が許可されている所定期間やストリームの識別子であるＴＳＩＤ等が示されている。
【００９９】
図４は、ＳＴＡ１０３が実行する通信品質を測定する処理を示すフローチャートである。Ｓ４００において、受信部２１０は、アンテナ２０５を介して変調されたフレームを受信する。Ｓ４０５において、復調部２１５は、受信部２１０で受信された変調されたフレームを復調する。Ｓ４１０において、フレーム処理部２２０は、復調部２１５で復調されたフレームを復元し、復元したフレームを上位処理部２２５に送信する。
【０１００】
Ｓ４１５において、受信フレーム解析手段であるフレーム処理部２２０は、フレームのＡｄｄｒｅｓｓ１フィールド３１５を参照し、ＳＴＡ１０３宛のフレームであるか否かを判断する。ＳＴＡ１０３宛のフレームであると判断したときは、通信品質の測定を行なうことなくこのフローチャートは終了する。一方、ＳＴＡ１０３宛のフレームでないと判断したときは、Ｓ４２０に進む。
【０１０１】
Ｓ４２０において、受信フレーム解析手段であるフレーム処理部２２０は、フレームのＦｒａｍｅ＿Ｃｏｎｔｒｏｌフィールド３０５を参照し、Ｐｏｌｌフレームであるか否かを判断する。Ｐｏｌｌフレームでないと判断したときは、通信品質の測定を行なうことなくこのフローチャートは終了する。一方、Ｐｏｌｌフレームであると判断したときは、Ｓ４２５に進む。
【０１０２】
この実施の形態１では、前述したようにＡＰ１０１は、ＳＴＡ１０２宛に通信権を付与するためのＰｏｌｌフレームを送信する。従って、ＳＴＡ１０３のフレーム処理部２２０は、Ｓ４１５でＮｏの判断をし、Ｓ４２０でＹｅｓの判断をする。そして、処理はＳ４２５に進むことになる。
【０１０３】
Ｓ４２５において、フレーム処理部２２０は、たとえばフレームのＱｏＳ＿Ｃｏｎｔｒｏｌフィールド３２０を参照し、Ｐｏｌｌフレームで割当てられている所定期間を読み取る。通信品質測定手段２４０は、フレーム処理部２２０が読み取った所定期間にわたって通信品質の測定をする処理を行なう。
【０１０４】
この実施の形態１では、ＡＰ１０１は、ＳＴＡ１０２宛にＰｏｌｌフレームを送信する。従って、Ｐｏｌｌフレームを受信したＳＴＡ１０２は、Ｐｏｌｌフレームで指示されている所定期間にわたってＳＴＡ１０３にストリームデータを送信する。ＳＴＡ１０３の通信品質測定手段２４０は、ＳＴＡ１０２がストリームデータを送信している所定期間内でＳＴＡ１０２から送信されるフレームの通信品質の測定をする。通信品質測定手段２４０により測定された通信品質の測定結果（通信品質情報）は、たとえば、図４８および図４９に示めされるような８段階の受信電界強度の時間密度ヒストグラムとして表される。
【０１０５】
所定期間内で通信品質の測定が終了すると、Ｓ４３０において、ＳＴＡ１０３の通信品質送信手段２４５は、ＰｏｌｌフレームのＡｄｄｒｅｓｓ１フィールド３１５を参照し、Ａｄｄｒｅｓｓ１フィールドに示されていた宛先（この実施の形態１では、ＳＴＡ１０２宛）に通信品質情報を示すフレームを送信する。その後、このフローチャートは終了する。
【０１０６】
なお、ＳＴＡ１０３の通信品質送信手段２４５は、ＡＰ１０１に通信権の付与を要求して、ＡＰ１０１から通信権が付与されたときに通信品質情報を示すフレームを送信してもよいし、通信権が付与されなくても通信帯域をいち早く獲得した無線通信装置が他の無線通信装置にフレームを送信することができる期間（ＣＰ期間もしくはＥＤＣＡ期間）に通信品質情報を示すフレームを送信してもよいし、通信品質を測定している期間中に受信応答（たとえば、ＡＣＫフレーム）を送信するときに、通信品質情報を組み込んで送信してもよい。
【０１０７】
次に、図５から図１０までを参照して、ＳＴＡ１０２がフレームを送信するときに、送信電力制御手段５０５であるフレーム処理部２２０が送信電力を制御し、制御したフレームの送信電力情報を記憶部５１５に追加、更新する流れについて説明する。また受信した通信品質情報と記憶部５１５に記憶されている送信電力情報とを用いてフレーム処理部２２０が送信電力を制御する流れについて説明する。
【０１０８】
図５は、通信品質情報を受信して送信電力を制御するＳＴＡ１０２の機能ブロック図である。ＳＴＡ１０２の構成は、ＳＴＡ１０３の構成とほぼ同じである。しかし、ＳＴＡ１０２は、送信電力情報を記憶するための記憶部５１５を備えている点でＳＴＡ１０３と 
異なる。また、フレーム処理部２２０により送信電力制御手段５０５が構成されている。変調部２３０および送信部２３５により送信電力設定手段５１０が構成されている。
【０１０９】
図６は、ＳＴＡ１０２が実行するフレームの送信電力を制御する処理を示すフローチャートである。まず、Ｓ６００において、送信電力制御手段５０５であるフレーム処理部２２０は、上位処理部２２５から、送信するフレームのヘッダ情報とペイロード情報を受信する。Ｓ６０５において、フレーム処理部２２０は、記憶部５１５に構成されている記憶テーブルを参照して、送信宛先である無線通信装置への送信電力情報が記憶されているか否かを確認する。
【０１１０】
ここで、図７および図８を参照する。図７は、送信電力情報を記憶することができる記憶テーブルの初期状態を示す図である。図７に示すように、記憶テーブルは、無線通信装置毎に送信電力情報（ＴＸ＿Ｐｏｗｅｒ）を管理できる構成になっている。記憶テーブルは、最初図７に示すように送信電力情報が記憶されていない状態である。図８は、送信電力情報が記憶されている記憶テーブルの一例を示す図である。図８は、ＳＴＡ１０３への送信電力情報として「２０」を記憶している記憶テーブルを示している。
【０１１１】
再び図６を参照して、Ｓ６０５において、フレーム処理部２２０が記憶テーブルに送信宛先の無線通信装置への送信電力情報が記憶されていないと判断したとき、Ｓ６１０に進む。Ｓ６１０において、フレーム処理部２２０は、フレームの送信電力を所定の値に設定する。Ｓ６１５において、フレーム処理部２２０は、記憶テーブルにＳ６１０で設定した送信電力情報を追加する。この実施の形態１では、ＳＴＡ１０２からＳＴＡ１０３にストリームデータを送信する例を説明している。従って、たとえば、設定した送信電力が「２０」である場合、フレーム処理部２２０は、記憶テーブルのＳＴＡ１０３のセルに送信電力情報として「２０」を追加する（初期（まだ一度もフレームを送信していない）状態では記憶テーブルに送信電力情報が記憶されていないため、必ずこのフローを辿る）。
【０１１２】
一方、Ｓ６０５において、フレーム処理部２２０が記憶テーブルに送信宛先の無線通信装置への送信電力情報が記憶されていると判断したとき、Ｓ６２０に進む。Ｓ６２０において、フレーム処理部２２０は、フレームの送信電力を記憶テーブルに記憶されている値に設定する。この実施の形態１では、ＳＴＡ１０２からＳＴＡ１０３にストリームデータを送信する例を説明している。従って、図８に示すように記憶テーブルのＳＴＡ１０３のセルに送信電力情報として「２０」が記憶されていれば、フレーム処理部２２０は、フレームの送信電力として「２０」を設定する。
【０１１３】
なお、ここではストリームデータを送信する例について説明したが、これに限られるものではなく、その他のデータを送信する場合であってもよい。
【０１１４】
図９は、ＳＴＡ１０２が実行する通信品質情報に基づいて制御した送信電力を送信電力情報として記憶テーブルに追加、更新する処理を示すフローチャートである。まず、Ｓ９００において、送信電力制御手段であるフレーム処理部２２０は、初期パラメータを設定する。
【０１１５】
フレーム処理部２２０は、初期パラメータとして、たとえば、送信電力上限（ｕｐｐｅｒ＿ｔｈ）、受信電力下限（ｌｏｗｅｒ＿ｔｈ）、およびマージン（ｍａｒｇｉｎ）等を設定する。フレーム処理部２２０は、ｕｐｐｅｒ＿ｔｈとして、たとえば、法律上許容される上限の電力あるいはＳＴＡ１０２の性能限界である電力などを設定する。実施の形態１では、フレーム処理部２２０は、ｕｐｐｅｒ＿ｔｈとして、たとえば、「２０」を設定する。フレーム処理部２２０は、ｌｏｗｅｒ＿ｔｈとして、無線通信規格上許容される下限の電力あるいはＳＴＡ１０３が安定してフレームを受信できる性能限界である電力を設定する。実施の形態１では、フレーム処理部２２０は、ｌｏｗｅｒ＿ｔｈとして、たとえば、「−８０」を設定する。フレーム処理部２２０は、ｍａｒｇｉｎとして、たとえば、無線通信路上のフェーイングやシャドーイング等の影響による電力の落ち込みを許容するための電力を設定する。実施の形態１では、フレーム処理部２２０は、ｍａｒｇｉｎとして、たとえば、「１０」を設定する。「ｌｏｗｅｒ＿ｔｈ＋ｍａｒｇｉｎ」は、受信局であるＳＴＡ１０３における受信電力目標となるが、この目標値は、ここではＳＴＡ１０３からＳＴＡ１０２にあらかじめ通知されているものとする。
【０１１６】
Ｓ９０５において、受信部２１０は、アンテナ２０５を介して変調されたフレームを受信する。Ｓ９１０において、復調部２１５は、受信部２１０で受信された変調されたフレームを復調する。Ｓ９１５において、フレーム処理部２２０は、復調部２１５で復調されたフレームを復元し、復元したフレームを上位処理部２２５に送信する。
【０１１７】
Ｓ９２０において、受信フレーム解析手段でもあるフレーム処理部２２０は、フレームのＡｄｄｒｅｓｓ１フィールド３１５を参照し、ＳＴＡ１０２宛のフレームであるか否かを判断する。ＳＴＡ１０２宛のフレームでないと判断したときは、記憶テーブルへの送信電力情報の追加、更新処理を行なうことなくこのフローチャートは終了する。一方、ＳＴＡ１０２宛のフレームであると判断したときは、Ｓ９２５に進む。
【０１１８】
Ｓ９２５において、フレーム処理部２２０は、フレームのＦｒａｍｅ＿Ｃｏｎｔｒｏｌフィールド３０５とＦｒａｍｅ＿ｂｏｄｙフィールドのペイロードデータに含まれるＩｎｆｏｒｍａｔｉｏｎ＿Ｅｌｅｍｅｎｔフィールド（図示せず）等を参照し、通信品質情報が含まれているか否かを判断する。通信品質情報が含まれていないと判断したときは、記憶テーブルへの送信電力情報の追加、更新処理を行なうことなくこのフローチャートは終了する。一方、通信品質情報が含まれていると判断したときは、Ｓ９３０に進む。
【０１１９】
この実施の形態１では、前述したようにＳＴＡ１０３は、ＳＴＡ１０２宛に通信品質情報を示すフレームを送信する。従って、ＳＴＡ１０２のフレーム処理部２２０は、Ｓ９２０でＹｅｓの判断をし、Ｓ９２５でＹｅｓの判断をする。そして、処理はＳ９３０に進むことになる。
【０１２０】
Ｓ９３０において、フレーム処理部２２０は、記憶テーブルに送信電力情報「ＴＸ＿Ｐｏｗｅｒ」が記憶されているか否かを判断する。「ＴＸ＿Ｐｏｗｅｒ」が記憶されている（すなわち、記憶テーブルが、たとえば図８の状態である）と判断したときは、Ｓ９４０に進む。
【０１２１】
Ｓ９４０において、フレーム処理部２２０は、「（ＴＸ＿Ｐｏｗｅｒ−ＲＳＳＩ）＋ｌｏｗｅｒ＿ｔｈ＋ｍａｒｇｉｎ」の式に基づいて送信電力の値を求める。ここでＲＳＳＩ（Receive Signal Strength Indicator）は、ＳＴＡ１０３から受信したフレームに示される通信品質情報から求める、ＳＴＡ１０３が受信した割合が最も高い受信電力強度のことである。図４８に示されるフォーマットで受信した通信品質情報においてＲＰＩ６の受信電界強度の割合が最も大きいときは、ＳＴＡ１０２のフレーム処理部２２０は、図４９のテーブルを参照して、たとえば、ＲＳＳＩを「−６０」として計算する。図８に示される記憶テーブルを用いて送信電力の値を求めると、送信電力は「１０」となる。但し、「（ＴＸ＿Ｐｏｗｅｒ−ＲＳＳＩ）＋ｌｏｗｅｒ＿ｔｈ＋ｍａｒｇｉｎ」の式に基づいて求められた送信電力の値がｕｐｐｅｒ＿ｔｈを超えるときは、フレーム処理部２２０は、ｕｐｐｅｒ＿ｔｈ以下の値を送信電力の値に設定する。
【０１２２】
Ｓ９４５において、フレーム処理部２２０は、記憶テーブルに既に記憶されている送信電力情報（ＴＸ＿Ｐｏｗｅｒ＝「２０」）の値をＳ９４０で設定した送信電力の値に更新する処理を行なう。図１０は、送信電力情報が記憶されている記憶テーブルの一例を示す図である。前述したように、Ｓ９４０において、フレーム処理部２２０が送信電力を「１０」に設定したとき、記憶テーブルは、図８に示す状態から図１０に示す状態になる。その後、このフローチャートは終了する。
【０１２３】
一方、Ｓ９３０において、フレーム処理部２２０が記憶テーブルに送信電力情報「ＴＸ＿Ｐｏｗｅｒ」が記憶されていない（すなわち、記憶テーブルが、たとえば図７の状態である）と判断したときは、Ｓ９３５に進む。Ｓ９３５において、フレーム処理部２２０は、送信するフレームの送信電力を所定の送信電力に設定する。この実施の形態１では、ｕｐｐｅｒ＿ｔｈを送信電力として設定する。Ｓ９４５において、フレーム処理部２２０は、Ｓ９３５で設定し送信電力の値（送信電力情報）を記憶テーブルに追加する処理をする（すなわち、記憶テーブルが、たとえば図８の状態となる）。その後、このフローチャートは終了する。
［実施の形態１の変形例１］
次に実施の形態１の変形例１について説明する。この実施の形態１の変形例１では、実施の形態１と相違する点を主として説明する。実施の形態１では、ＳＴＡ１０３から通信品質情報を受信したときに、フレーム処理部２２０がフレームの送信電力を制御し、記憶テーブルに制御した送信電力を送信電力情報として記憶する例を説明した。実施の形態１の変形例１では、記憶テーブルに送信電力を制御した時刻（以下「送信電力制御時刻」ともいう）を記憶し、ＳＴＡ１０３から通信品質の測定結果とその測定開始時刻の情報を含む測定情報を受信したときに、通信品質の測定を開始した時刻（以下「通信品質測定開始時刻」ともいう）が送信電力制御時刻以後であった場合に、フレーム処理部２２０がフレームの送信電力を制御する例について説明する。
【０１２４】
図５、図１１から図１４まで、および図４８を参照して、実施の形態１の変形例１について説明する。なお、図５の記憶部５１５には送信電力制御情報と送信電力制御時刻を記憶するための記憶テーブルが構成されている。他は、前述した構成と同じであるので詳細な説明を繰り返さない。
【０１２５】
図１１は、ＳＴＡ１０２が実行する通信品質情報、通信品質測定開始時刻、送信電力情報および送信電力制御時刻に基づいて制御した送信電力を送信電力情報と送信電力制御時刻を記憶テーブルに追加、更新する処理を示すフローチャートである。Ｓ１１００からＳ１１３０までの処理は、実施の形態１の図９に示すＳ９００からＳ９３０までの処理と同様であるので詳細な説明を繰り返さない。この実施の形態１の変形例１では、実施の形態１と同様にＳＴＡ１０３は、ＳＴＡ１０２宛に通信品質情報を示すフレームを送信する。従って、ＳＴＡ１０２のフレーム処理部２２０は、Ｓ１１２０でＹｅｓの判断をし、Ｓ１１２５でＹｅｓの判断をして、Ｓ１１３０に進むことになる。
【０１２６】
ここで、図１２および図１３を参照する。図１２は、送信電力情報と送信電力制御時刻とを記憶することができる記憶テーブルの初期状態を示す図である。図１２に示すように、記憶テーブルは、無線通信装置毎に送信電力情報（ＴＸ＿Ｐｏｗｅｒ）と送信電力制御時刻（ＴＰＣ＿ｔｉｍｅ）を管理できる構成になっている。図１３は、送信電力情報と送信電力制御時刻とが記憶さている記憶テーブルの一例を示す図である。図１３は、ＳＴＡ１０３への送信電力情報として「２０」を記憶し、送信電力制御時刻として「１００００」を記憶している記憶テーブルを示している。「ＴＰＣ＿ｔｉｍｅ」として記憶される値は、たとえばＢＳＳ１１０内のすべてのＳＴＡで同期する時刻情報（ＴＳＦ（Timing Synchronization Function） Timer）の値を用いる。
【０１２７】
再び図１１を参照して、Ｓ１１３０において、フレーム処理部２２０は、記憶テーブルに送信電力情報「ＴＸ＿Ｐｏｗｅｒ」が記憶されているか否かを判断する。「ＴＸ＿Ｐｏｗｅｒ」が記憶されている（すなわち、記憶テーブルが、たとえば図１３の状態である）と判断したときは、Ｓ１１４０に進む。 
【０１２８】
Ｓ１１４０において、フレーム処理部２２０は、記憶テーブルのＴＰＣ＿ｔｉｍｅと通信品質情報を含む受信フレームの通信品質の測定開始時刻であるＭｅａｓｕｒｅｍｅｎｔ  Ｓｔａｒｔ  Ｔｉｍｅ４００３の値とを比較する。フレーム処理部２２０は、たとえば、Ｍｅａｓｕｒｅｍｅｎｔ  Ｓｔａｒｔ  Ｔｉｍｅ４００３の値が「１１０００」であった場合、ＴＰＣ＿ｔｉｍｅ≦Ｍｅａｓｕｒｅｍｅｎｔ  Ｓｔａｒｔ  Ｔｉｍｅの条件式をＹｅｓと判断し、Ｓ１１４５に進む。
【０１２９】
Ｓ１１４５において、フレーム処理部２２０は、「（ＴＸ＿Ｐｏｗｅｒ−ＲＳＳＩ）＋ｌｏｗｅｒ＿ｔｈ＋ｍａｒｇｉｎ」の式に基づいて送信電力の値を求める。図４８に示されるフォーマットで受信した通信品質情報においてＲＰＩ６の受信電界強度の割合が最も大きいときは、ＳＴＡ１０２のフレーム処理部２２０は、図４９のテーブルを参照して、たとえば、ＲＳＳＩを「−６０」として計算する。図１３に示される記憶テーブルを用いて送信電力の値を求めると、送信電力は「１０」となる。但し、「（ＴＸ＿Ｐｏｗｅｒ−ＲＳＳＩ）＋ｌｏｗｅｒ＿ｔｈ＋ｍａｒｇｉｎ」の式に基づいて求められた送信電力の値がｕｐｐｅｒ＿ｔｈを超えるときは、フレーム処理部２２０は、ｕｐｐｅｒ＿ｔｈ以下の値を送信電力の値に設定する。
【０１３０】
Ｓ１１５０において、フレーム処理部２２０は、記憶テーブルに既に記憶されている送信電力情報（ＴＸ＿Ｐｏｗｅｒ＝「２０」）の値をＳ１１４５で設定した送信電力の値に更新する処理を行なうとともに、たとえば現在の時刻が「１２０００」であったとすると、送信電力制御時刻（ＴＰＣ＿ｔｉｍｅ＝「１００００」）の値を「１２０００」に更新する。図１４は、送信電力情報と送信電力制御時刻が記憶されている記憶テーブルの一例を示す図である。前述したように、Ｓ１１４５において、フレーム処理部２２０が送信電力を「１０」に設定し、その時刻が「１２０００」であったとき、記憶テーブルは、図１３に示す状態から図１４に示す状態になる。その後、このフローチャートは終了する。
【０１３１】
一方、Ｓ１１４０において、フレーム処理部２２０は、たとえば、Ｍｅａｓｕｒｅｍｅｎｔ  Ｓｔａｒｔ  Ｔｉｍｅ４００３の値が「９０００」であった場合、ＴＰＣ＿ｔｉｍｅ≦Ｍｅａｓｕｒｅｍｅｎｔ  Ｓｔａｒｔ  Ｔｉｍｅの条件式をＮｏと判断し、記憶テーブルへの送信電力情報の追加、更新処理を行なうことなくこのフローチャートを終了する。
【０１３２】
一方、Ｓ１１３０において、フレーム処理部２２０が記憶テーブルに送信電力情報「ＴＸ＿Ｐｏｗｅｒ」が記憶されていない（すなわち、記憶テーブルが、たとえば図１２の状態である）と判断したときは、Ｓ１１３５に進む。Ｓ１１３５において、フレーム処理部２２０は、送信するフレームの送信電力を所定の送信電力に設定する。この実施の形態１の変形例１では、ｕｐｐｅｒ＿ｔｈを所定の値として送信電力を設定する。Ｓ１１５０において、フレーム処理部２２０は、Ｓ１１３５で設定し送信電力の値（送信電力情報）を記憶テーブルに追加するとともに、たとえば現在の時刻が「１００００」であったとすると、送信電力制御時刻ＴＰＣ＿ｔｉｍｅに「１００００」を追加する（すなわち、記憶テーブルが、たとえば図１３の状態となる）。その後、このフローチャートは終了する。
［実施の形態１の変形例２］
次に実施の形態１の変形例２について説明する。この実施の形態１の変形例２では、実施の形態１および実施の形態１の変形例１と相違する点を主として説明する。実施の形態１では、ＳＴＡ１０３から通信品質情報を受信したときに、フレーム処理部２２０がフレームの送信電力を制御し、記憶テーブルに制御した送信電力を送信電力情報として記憶する例を説明した。実施の形態１の変形例１では、記憶テーブルに送信電力制御時刻を記憶し、ＳＴＡ１０３から通信品質情報を受信したときに、通信品質測定開始時刻が送信電力制御時刻以後であった場合に、フレーム処理部２２０がフレームの送信電力を制御する例について説明した。
【０１３３】
実施の形態１の変形例２では、ＳＴＡ１０３から通信品質情報を受信したときに、まず、受信した通信品質情報を記憶テーブルに追加し、記憶テーブルに記憶されている通信品質情報に基づいてフレーム処理部２２０がフレームの送信電力を制御する例について説明する。図５および図１５から図２４までを参照して、実施の形態１の変形例２について説明する。なお、図５の記憶部５１５には通信品質情報を記憶するための記憶テーブルが構成されている。
【０１３４】
図１５は、ＳＴＡ１０２が実行する通信品質情報を記憶テーブルに追加、更新する処理を示すフローチャートである。まず、Ｓ１５００において、受信部２１０は、アンテナ２０５を介して変調されたフレームを受信する。Ｓ１５０５において、復調部２１５は、受信部２１０で受信された変調されたフレームを復調する。Ｓ１５１０において、フレーム処理部２２０は、復調部２１５で復調されたフレームを復元し、復元したフレームを上位処理部２２５に送信する。
【０１３５】
Ｓ１５１５において、フレーム処理部２２０は、フレームのＡｄｄｒｅｓｓ１フィールド３１５を参照し、ＳＴＡ１０２宛のフレームであるか否かを判断する。ＳＴＡ１０２宛のフレームでないと判断したときは、記憶テーブルへの通信品質情報の追加、更新処理を行なうことなくこのフローチャートは終了する。一方、ＳＴＡ１０２宛のフレームであると判断したときは、Ｓ１５２０に進む。
【０１３６】
Ｓ１５２０において、フレーム処理部２２０がフレームのＦｒａｍｅ＿Ｃｏｎｔｒｏｌフィールド３０５とＦｒａｍｅ＿ｂｏｄｙフィールドのペイロードデータに含まれるＩｎｆｏｒｍａｔｉｏｎ＿Ｅｌｅｍｅｎｔフィールド（図示せず）とを参照し、通信品質情報が含まれているか否かを判断する。通信品質情報が含まれていないと判断したときは、記憶テーブルへの通信品質情報の追加、更新処理を行なうことなくこのフローチャートは終了する。一方、通信品質情報が含まれていると判断したときは、Ｓ１５２５に進む。
【０１３７】
実施の形態１で説明したようにＳＴＡ１０３は、ＳＴＡ１０２宛に通信品質情報を示すフレームを送信する。従って、ＳＴＡ１０２のフレーム処理部２２０は、Ｓ１５１５でＹｅｓの判断をし、Ｓ１５２０でＹｅｓの判断をする。そして、処理はＳ１５２５に進むことになる。
【０１３８】
Ｓ１５２５において、フレーム処理部２２０は、記憶テーブルに通信品質情報を追加、更新する処理を行なう。フレーム処理部２２０は、記憶テーブルが初期状態であれば通信品質情報を追加する処理を行い、記憶テーブルに既に通信品質情報が記憶されていれば最新の通信品質情報に更新する処理を行なう。その後、このフローチャートは終了する。
【０１３９】
図１６は、通信品質情報を記憶することができる記憶テーブルの初期状態を示す図である。図１６に示すように、記憶テーブルは、無線通信装置毎に通信品質情報（ＲＳＳＩ）を管理できる構成になっている。記憶テーブルは、最初図１６に示すように通信品質情報が記憶されていない状態である。図１７は、通信品質情報が記憶されている記憶テーブルの一例を示す図である。図１７は、ＳＴＡ１０３から受信した通信品質情報から求めたＲＳＳＩ「−６０」を記憶している記憶テーブルを示している。なお、記憶する通信品質情報としてＲＳＳＩ値を記憶テーブルに記憶する例を示したがこれに限定されるものではない。ＳＴＡ１０３から受信した受信電界強度の時間密度ヒストグラムを記憶テーブルに記憶してもよい。
【０１４０】
図１８は、送信電力情報および通信品質情報を記憶することができる記憶テーブルの初期状態を示す図である。図１９は、通信品質情報が記憶されている記憶テーブルの一例を示す図である。図２０は、送信電力情報および通信品質情報を記憶することができる記憶テーブルの初期状態を示す図である。図２１は、通信品質情報が記憶されている記憶テーブルの一例を示す図である。記憶テーブルは、図１８および図１９に示すように、通信品質情報と送信電力情報とをまとめて管理する構成であってもよく、またストリーム毎に送信電力が一意に定まる場合であれば図２０および図２１に示すような構成であってもよい。以降、この実施の形態１の変形例２では、記憶テーブルは図２０および図２１のような構成であるとして説明する。
【０１４１】
ＳＴＡ１０３からＳＴＡ１０２に通信品質情報を示すフレームが送信されてくると、ＳＴＡ１０２のフレーム処理部２２０は、フレームに示されている通信品質情報（たとえば、受信電界強度（ＲＳＳＩ））を記憶テーブルに追加する。たとえば、ＲＰＩ６の受信電界強度の割合が最も大きいときは、ＳＴＡ１０２のフレーム処理部２２０は、図２１に示されるように、記憶テーブル内のＴＳＩＤが“１５”で、ＳＴＡ１０３の列に対応するセルに、たとえば「−６０」の値を追加する。
【０１４２】
次に図２２から図２５までを参照して、ＳＴＡ１０２が送信するフレームの送信電力を制御して設定し、設定した送信電力の値（以下「送信電力情報」ともいう）を記憶テーブルに追加、更新する流れについて説明する。
【０１４３】
まず、図２２および図２３を参照して、記憶テーブルに通信品質情報（ＲＳＳＩ）および送信電力情報（ＴＸ＿Ｐｏｗｅｒ）が記憶されていないときに、ＳＴＡ１０２が送信するフレームの送信電力を制御して設定し、設定した送信電力の値（送信電力情報）を記憶テーブルに追加する流れについて説明する。
【０１４４】
図２２は、ＳＴＡ１０２が実行する通信品質情報および送信電力情報に基づいて制御した送信電力を送信電力情報として記憶テーブルに追加、更新する処理を示すフローチャートである。ＳＴＡ１０２は、ＡＰ１０１から送信されたＳＴＡ１０２宛のＰｏｌｌフレームを受信し、受信したＰｏｌｌフレームで指示された通信許可時間が始まると、フレームの送信電力を制御しながら、ＳＴＡ１０３へストリームデータ（ＴＳＩＤ１５）のフレームの送信を開始する。
【０１４５】
Ｓ２２００において、送信電力制御手段であるフレーム処理部２２０は、初期パラメータを設定する。フレーム処理部２２０は、初期パラメータとして、たとえば、送信電力上限（ｕｐｐｅｒ＿ｔｈ）、受信電力下限（ｌｏｗｅｒ＿ｔｈ）、およびマージン（ｍａｒｇｉｎ）等を設定する。実施の形態１の変形例２では、フレーム処理部２２０は、ｕｐｐｅｒ＿ｔｈとして、たとえば、「２０」を設定する。フレーム処理部２２０は、ｌｏｗｅｒ＿ｔｈとして、たとえば、「−８０」を設定する。フレーム処理部２２０は、ｍａｒｇｉｎとして、たとえば、「１０」を設定する。
【０１４６】
Ｓ２２０５において、フレーム処理部２２０は、記憶テーブルに送信宛先の「ＴＸ＿Ｐｏｗｅｒ」が記憶されているか否かを判断する。「ＴＸ＿Ｐｏｗｅｒ」が記憶されていないと判断したときは、Ｓ２２１０において、フレーム処理部２２０は、送信するフレームの送信電力を所定の送信電力に設定する。この実施の形態１の変形例２では、フレーム処理部２２０は、ｕｐｐｅｒ＿ｔｈを所定の値として送信電力を設定する。Ｓ２２３０において、フレーム処理部２２０は、Ｓ２２１０で設定した送信電力の値（送信電力情報）を記憶テーブルに追加する処理を行なう。
【０１４７】
ここで、図２３を参照する。図２３は、送信電力情報が記憶されている記憶テーブルの一例を示す図である。図２２のＳ２２０５において、「ＴＸ＿Ｐｏｗｅｒ」が記憶されていないと判断し、Ｓ２２１０において、送信するフレームの送信電力を所定の値に設定したときは、フレーム処理部２２０は、設定した送信電力の値を記憶テーブルに追加する処理を行なう。たとえば、送信電力の値として「２０」を設定したときは、フレーム処理部２２０は、図２３に示すように記憶テーブル内のＴＳＩＤが“１５”で、ＴＸ＿Ｐｏｗｅｒの列に対応するセルに、たとえば、「２０」の値を追加する。その後、このフローチャートを終了する。
【０１４８】
一方、図２２のＳ２２０５において、送信宛先の「ＴＸ＿Ｐｏｗｅｒ」が記憶されていると判断したときは、Ｓ２２１５に進む。Ｓ２２１５において、フレーム処理部２２０は、記憶テーブルに「ＲＳＳＩ」が記憶されているか否かを判断する。「ＲＳＳＩ」が記憶されていないと判断したときは、Ｓ２２２０において、送信電力を記憶テーブルに記憶されているＴＸ＿Ｐｏｗｅｒの値に設定する。その後、このフローチャートを終了する。
【０１４９】
次に、図２２および図２４を参照して、記憶テーブルに「ＴＸ＿Ｐｏｗｅｒ」および「ＲＳＳＩ」の各々の値が記憶されているときに、ＳＴＡ１０２がフレームの送信電力を制御して設定し、記憶テーブルに既に記憶されている送信電力情報を設定した送信電力情報に更新する流れについて説明する。
【０１５０】
図２４は、通信品質情報および送信電力情報が記憶されている記憶テーブルの一例を示す図である。図２４に示す記憶テーブルには、通信品質情報としてＲＳＳＩ＝「−６０」が記憶されており、送信電力情報としてＴＸ＿Ｐｏｗｅｒ＝「２０」が記憶されている。
【０１５１】
図２２を参照して、Ｓ２２０５において、フレーム処理部２２０が記憶テーブルに「ＴＸ＿Ｐｏｗｅｒ」が記憶されていると判断したときは、Ｓ２２１５に進む。Ｓ２２１５において、フレーム処理部２２０が記憶テーブルに「ＲＳＳＩ」の値が記憶されていると判断したときは、Ｓ２２２５に進む。Ｓ２２２５において、フレーム処理部２２０は、「（ＴＸ＿Ｐｏｗｅｒ−ＲＳＳＩ）＋ｌｏｗｅｒ＿ｔｈ＋ｍａｒｇｉｎ」の式に基づいて送信電力の値を求める。図２４に示す記憶テーブルを用いて送信電力の値を求めると、「１０」となる。但し、「（ＴＸ＿Ｐｏｗｅｒ−ＲＳＳＩ）＋ｌｏｗｅｒ＿ｔｈ＋ｍａｒｇｉｎ」の式に基づいて送信電力の値がｕｐｐｅｒ＿ｔｈを超えるときは、フレーム処理部２２０は、送信するフレームの送信電力の値をｕｐｐｅｒ＿ｔｈ以下の値を送信電力の値とする。
【０１５２】
Ｓ２２３０において、フレーム処理部２２０は、記憶テーブルに既に記憶されている送信電力情報（ＴＸ＿Ｐｏｗｅｒ＝「２０」）の値をＳ２２２５で設定された送信電力の値に更新する処理を行なう。具体的には、図２４に示すように記憶テーブル内のＴＳＩＤが“１５”で、ＴＸ＿Ｐｏｗｅｒの列に対応するセルに記憶されている「２０」を「１０」に更新する処理を行なう。その後、このフローチャートは終了する。
［実施の形態１の変形例３］
次に実施の形態１の変形例３について説明する。この実施の形態１の変形例３では、実施の形態１の変形例２と相違する点を主として説明する。実施の形態１の変形例２では、ＳＴＡ１０３から通信品質情報を受信したときに、受信した通信品質情報を記憶テーブルに追加し、記憶テーブルに記憶されている通信品質情報に基づいてフレーム処理部２２０がフレームの送信電力を制御する例について説明した。
【０１５３】
実施の形態１の変形例３では、まず、受信した通信品質情報とその通信品質測定開始時刻とを記憶テーブルに追加する例について説明する。図５および図２５から図３３を参照して、実施の形態１の変形例３について説明する。なお、図５の記憶部５１５には通信品質情報と通信品質測定開始時刻を記憶するための記憶テーブルが構成されている。
【０１５４】
図２５は、ＳＴＡ１０２が実行する通信品質情報と通信品質測定開始時刻を記憶テーブルに追加、更新する処理を示すフローチャートである。Ｓ２５００からＳ２５２０までの処理は実施の形態１の変形例２の図１５に示すＳ１５００からＳ１５２０までの処理と同様であるので詳細な説明を繰り返さない。この実施の形態１の変形例３では、実施の形態１と同様にＳＴＡ１０３は、ＳＴＡ１０２宛に通信品質情報を示すフレームを送信する。従って、ＳＴＡ１０２のフレーム処理部２２０は、Ｓ２５１５でＹｅｓの判断をし、Ｓ２５２０でＹｅｓの判断をする。そして、処理はＳ２５２５に進むことになる。
【０１５５】
ここで、図２６および図２７を参照する。図２６は、通信品質情報と通信品質測定開始時刻とを記憶することができる記憶テーブルの初期状態を示す図である。図２６に示すように、記憶テーブルは、無線通信装置毎に通信品質情報（ＲＳＳＩ）と通信品質測定開始時刻（Ｍｅａｓｕｒｅｍｅｎｔ  Ｓｔａｒｔ  ｔｉｍｅ）を管理できる構成になっている。図２７は、通信品質情報と通信品質測定開始時刻とが記憶さている記憶テーブルの一例を示す図である。図２７は、ＳＴＡ１０３への通信品質情報として「−６０」を記憶し、通信品質測定開始時刻として「１００００」を記憶している記憶テーブルを示している。
【０１５６】
再び図２５を参照して、Ｓ２５２５において、フレーム処理部２２０は、記憶テーブルに記憶されているＭｅａｓｕｒｅｍｅｎｔ  Ｓｔａｒｔ  Ｔｉｍｅの値と受信フレームの通信品質測定開始時刻であるＭｅａｓｕｒｅｍｅｎｔ  Ｓｔａｒｔ  Ｔｉｍｅ４００３の値とを比較する。フレーム処理部２２０は、たとえば、記憶テーブルが図２６の状態であって、受信フレームのＭｅａｓｕｒｅｍｅｎｔ  Ｓｔａｒｔ  Ｔｉｍｅ４００３の値が「１００００」であった場合、Ｙｅｓと判断して、Ｓ２５３０に進む。
【０１５７】
Ｓ２５３０において、フレーム処理部２２０は、記憶テーブルに通信品質情報と通信品質測定開始時刻を追加、更新する処理を行なう。図４８に示されるフォーマットで受信した通信品質情報においてＲＰＩ６の受信電界強度の割合が最も大きいときは、ＳＴＡ１０２のフレーム処理部２２０は、図４９のテーブルを参照して、たとえば、ＲＳＳＩを「−６０」として記憶するとともに、Ｍｅａｓｕｒｅｍｅｎｔ  Ｓｔａｒｔ  Ｔｉｍｅを「１００００」として記憶し、このフローチャートを終了する。
【０１５８】
またＳ２５２５において、フレーム処理部２２０は、たとえば、記憶テーブルが図２７の状態であって、受信フレームのＭｅａｓｕｒｅｍｅｎｔ  Ｓｔａｒｔ  Ｔｉｍｅ４００３の値が「９０００」であった場合、Ｎｏと判断して、記憶テーブルへの通信品質情報の追加、更新処理を行なうことなくこのフローチャートを終了する。
【０１５９】
図２８は、送信電力情報および送信電力制御時刻と、通信品質情報および通信品質測定開始時刻とを記憶することができる記憶テーブルの初期状態を示す図である。図２９は、送信電力情報および送信電力制御時刻と、通信品質情報および通信品質測定開始時刻とが記憶されている記憶テーブルの一例を示す図である。
【０１６０】
次に図２８から図３０までを参照して、ＳＴＡ１０２がＳＴＡ１０３へ送信するフレームの送信電力を制御して設定し、設定した送信電力の値（以下「送信電力情報」ともいう）を記憶テーブルに追加、更新する流れについて説明する。
【０１６１】
図３０は、ＳＴＡ１０２が実行するフレームの送信電力の制御と、送信電力情報および送信電力制御時刻を記憶テーブルへ追加・更新する処理とを示すフローチャートである。まず、Ｓ３０００において、初期パラメータを設定する。フレーム処理部２２０は、初期パラメータとして、たとえば、送信電力上限（ｕｐｐｅｒ＿ｔｈ）、受信電力下限（ｌｏｗｅｒ＿ｔｈ）、およびマージン（ｍａｒｇｉｎ）等を設定する。実施の形態１の変形例３では、フレーム処理部２２０は、ｕｐｐｅｒ＿ｔｈとして、たとえば、「２０」を設定する。フレーム処理部２２０は、ｌｏｗｅｒ＿ｔｈとして、たとえば、「−８０」を設定する。フレーム処理部２２０は、ｍａｒｇｉｎとして、たとえば、「１０」を設定する。
【０１６２】
Ｓ３００５において、送信電力制御手段であるフレーム処理部２２０は、上位処理部２２５から送信するフレームのヘッダ情報とペイロード情報を受信する。
【０１６３】
Ｓ３０１０において、フレーム処理部２２０は、記憶部５１５に構成されている記憶テーブルを参照して、送信宛先である無線通信装置への送信電力情報（ＴＸ＿Ｐｏｗｅｒ）が記憶されているか否かを確認する。
【０１６４】
ここで、たとえば、記憶テーブルが図２８の初期状態である場合には、フレーム処理部２２０が記憶テーブルに送信宛先の無線通信装置への送信電力情報が記憶されていないと判断して、Ｓ３０１５に進む。Ｓ３０１５において、フレーム処理部２２０は、フレームの送信電力を所定の値に設定する。この実施の形態１の変形例３では、ｕｐｐｅｒ＿ｔｈを所定の値として送信電力を設定する。Ｓ３０４０において、フレーム処理部２２０は、Ｓ３０１５で設定し送信電力の値（送信電力情報）を記憶テーブルに追加するとともに、たとえば現在の時刻が「７０００」であったとすると、送信電力制御時刻ＴＰＣ＿ｔｉｍｅに「７０００」を追加する（すなわち、記憶テーブルが、たとえば図３１の状態となる）。図３１は、送信電力情報および送信電力制御時刻と、通信品質測定開始時刻とが記憶されている記憶テーブルの一例を示す図である。その後、このフローチャートは終了する。
【０１６５】
一方、Ｓ３０１０において、フレーム処理部２２０は、「ＴＸ＿Ｐｏｗｅｒ」が記憶されている（すなわち、記憶テーブルが、たとえば図２９や図３１の状態である）と判断したときは、Ｓ３０２０に進む。
【０１６６】
Ｓ３０２０において、フレーム処理部２２０は、記憶部５１５に構成されている記憶テーブルを参照して、送信宛先である無線通信装置の通信品質情報（ＲＳＳＩ）が記憶されているか否かを確認する。
【０１６７】
ここで、たとえば、記憶テーブルが図３１の状態である場合には、フレーム処理部２２０が記憶テーブルに送信宛先の無線通信装置の通信品質情報が記憶されていないと判断して、Ｓ３０２５に進む。Ｓ３０２５において、フレーム処理部２２０は、記憶テーブルに記憶されている「ＴＸ＿Ｐｏｗｅｒ」を送信電力に設定し、このフローチャートを終了する。
【０１６８】
一方、Ｓ３０２０において、フレーム処理部２２０は、「ＲＳＳＩ」が記憶されている（すなわち、記憶テーブルが、たとえば図２９の状態である）と判断したときは、Ｓ３０３０に進む。
【０１６９】
Ｓ３０３０において、フレーム処理部２２０は、記憶テーブルのＴＰＣ＿ｔｉｍｅとＭｅａｓｕｒｅｍｅｎｔ  Ｓｔａｒｔ  Ｔｉｍｅの値とを比較して、ＴＰＣ＿ｔｉｍｅ＞Ｍｅａｓｕｒｅｍｅｎｔ  Ｓｔａｒｔ  Ｔｉｍｅである（すなわち、記憶テーブルが、たとえば図３２の状態である）場合には、Ｎｏと判断し、Ｓ３０２５に進む。図３２は、送信電力情報および送信電力制御時刻と、通信品質情報および通信品質測定開始時刻とが記憶されている記憶テーブルの一例を示す図である。Ｓ３０２５において、フレーム処理部２２０は、記憶テーブルに記憶されている「ＴＸ＿Ｐｏｗｅｒ」の値を送信電力に設定し、このフローチャートを終了する。
【０１７０】
一方、Ｓ３０３０において、フレーム処理部２２０は、記憶テーブルのＴＰＣ＿ｔｉｍｅとＭｅａｓｕｒｅｍｅｎｔ  Ｓｔａｒｔ  Ｔｉｍｅの値とを比較して、ＴＰＣ＿ｔｉｍｅ≦Ｍｅａｓｕｒｅｍｅｎｔ  Ｓｔａｒｔ  Ｔｉｍｅである（すなわち、記憶テーブルが、たとえば図２９の状態である）場合には、Ｙｅｓと判断し、Ｓ３０３５に進む。
【０１７１】
Ｓ３０３５において、フレーム処理部２２０は、「（ＴＸ＿Ｐｏｗｅｒ−ＲＳＳＩ）＋ｌｏｗｅｒ＿ｔｈ＋ｍａｒｇｉｎ」の式に基づいて送信電力の値を求める。図２９に示される記憶テーブルを用いて送信電力の値を求めると、送信電力は「１０」となる。但し、「（ＴＸ＿Ｐｏｗｅｒ−ＲＳＳＩ）＋ｌｏｗｅｒ＿ｔｈ＋ｍａｒｇｉｎ」の式に基づいて求められた送信電力の値がｕｐｐｅｒ＿ｔｈを超えるときは、フレーム処理部２２０は、ｕｐｐｅｒ＿ｔｈ以下の値を送信電力の値に設定する。
【０１７２】
Ｓ３０４０において、フレーム処理部２２０は、記憶テーブルに既に記憶されている送信電力情報（ＴＸ＿Ｐｏｗｅｒ＝「２０」）の値をＳ３０３５で設定した送信電力の値に更新する処理を行なうとともに、たとえば現在の時刻が「１２０００」であったとすると、送信電力制御時刻（ＴＰＣ＿ｔｉｍｅ＝「７０００」）の値を「１２０００」に更新する（すなわち、記憶テーブルが、たとえば図３３の状態となる）。図３３は、送信電力情報および送信電力制御時刻と、通信品質情報および通信品質測定開始時刻とが記憶されている記憶テーブルの一例を示す図である。その後、このフローチャートを終了する。
【０１７３】
前述の実施の形態１、実施の形態１の変形例１、実施の形態１の変形例２および実施の形態１の変形例３では、受信側のＳＴＡ１０３がＳＴＡ１０２宛のＰｏｌｌフレームを受信したときに、ＳＴＡ１０３の通信品質測定手段２４０がＳＴＡ１０２から受信したフレームの通信品質を測定し、測定結果である通信品質情報を示すフレームをＳＴＡ１０２に送信する流れについて説明した。しかし、ＳＴＡ１０３の通信品質測定手段２４０が通信品質の測定を開始するのと同時に、ＳＴＡ１０２に所定期間を定めて通信権を付与するためのＰｏｌｌフレームを送信するＡＰ１０１や他のＳＴＡ（図示せず）の通信品質測定手段が通信品質の測定を開始するようにしてもよい。そして、ＡＰ１０１や他のＳＴＡは、測定結果である通信品質情報を示すフレームをＳＴＡ１０２に送信するようにしてもよい。
【０１７４】
次に図３４を参照して、ＡＰ１０１の通信品質測定手段（図示せず）により通信品質が測定されたときに、記憶テーブルに通信品質情報を追加する流れについて説明する。図３４は、通信品質情報および送信電力情報が記憶されている記憶テーブルの一例を示す図である。
【０１７５】
前述したように、ＳＴＡ１０２からＳＴＡ１０３にＴＳＩＤが「１５」のストリームデータが送信される。ＡＰ１０１や他のＳＴＡは、ＳＴＡ１０２からＳＴＡ１０３にストリームデータが無線（電波）で送信されるため、その電波を受信することができる。その結果、ＡＰ１０１や他のＳＴＡの通信品質測定手段（図示せず）は、ＳＴＡ１０３の通信品質測定手段２４０と同様に、ＳＴＡ１０２から送受信されるフレームの無線通信の品質を測定することができる。
【０１７６】
たとえば、ＡＰ１０１の通信品質測定手段（図示せず）により測定された通信品質の測定結果を、ＡＰ１０１がＳＴＡ１０２宛てに送信したとする。もし、ＲＰＩ５の受信電界強度の割合が最も大きいときは、ＳＴＡ１０２のフレーム処理部２２０は、図３４に示すように記憶テーブル内のＴＳＩＤが“１５”で、ＡＰ１０１の列に対応するセルに、たとえば、「−６５」の値を追加する。
【０１７７】
なお、前述した実施の形態１では、図４のＳ４１５およびＳ４２０において、受信フレーム解析手段であるフレーム処理部２２０がＳＴＡ１０３宛のフレームであるか否かを判断した後にＰｏｌｌフレームであるか否かを判断する例を示したが、これに限られない。たとえば、受信フレーム解析手段であるフレーム処理部２２０がＰｏｌｌフレームであるか否かを判断した後にＳＴＡ１０３宛のフレームであるか否かを判断するようにしてもよい。
【０１７８】
また、前述した実施の形態１の変形例１では、図１１のＳ１１２０およびＳ１１２５において、実施の形態１の変形例２では、図１５のＳ１５１５およびＳ１５２０において、受信フレーム解析手段であるフレーム処理部２２０がＳＴＡ１０２宛のフレームであるか否かを判断した後に通信品質情報を含むフレームであるか否かを判断する例を示したが、これに限られない。たとえば、受信フレーム解析手段であるフレーム処理部２２０が通信品質情報を含むフレームであるか否かを判断した後にＳＴＡ１０２宛のフレームであるか否かを判断するようにしてもよい。
【０１７９】
また、前述した実施の形態１の変形例３では、図２５のＳ２５１５、Ｓ２５２０およびＳ２５２５において、受信フレーム解析手段であるフレーム処理部２２０がＳＴＡ１０２宛のフレームであるか否かを判断した後に通信品質情報を含むフレームであるか否かを判断した後に記憶テーブルに記憶されている測定開始時刻と受信フレームに含まれる測定開始時刻を比較する例を示したが、これに限られない。たとえば時刻を比較した後に通信品質情報を含むフレームであるか否かを判断した後にＳＴＡ１０２宛のフレームであるか否かを判断するようにしてもよく、その他の順序で判断してもよい。
【０１８０】
また、前述した実施の形態１の変形例１、実施の形態の変形例２および実施の形態１の変形例３では、通信品質情報がＲＰＩ６の受信電界強度の割合が最も大きいことを示しているときは記憶テーブルに「−６０」を記憶し、ＲＰＩ５の受信電界強度の割合が最も大きいことを示しているときは記憶テーブルに「−６５」を記憶する例を示したが、これに限られない。たとえば、図４９に示されるＲＰＩ６の範囲内であれば「−５９」や「−６１」等の値であってもよく、ＲＰＩ５の範囲内であれば「−６４」や「−６６」等の値であってもよい。また、（ＴＸ＿Ｐｏｗｅｒ−ＲＳＳＩ）は、無線通信路の電波伝搬ロスを計算しており、ＲＳＳＩを通信品質情報から求めるのであれば、ＲＳＳＩはＳＴＡ１０３が受信した割合が最も高い受信電界強度であることに限定されない。
【０１８１】
また、前述した実施の形態１、実施の形態１の変形例１、実施の形態１の変形例２および実施の形態１の変形例３では、送信電力の制御を行なうときの初期パラメータとしてｕｐｐｅｒ＿ｔｈ＝２０、ｌｏｗｅｒ＿ｔｈ＝−８０、ｍａｇｉｎ＝１０を設定する例を示したが、これに限られるものではない。また、各パラメータは通信品質情報や送信電力情報に基づいて動的に変化してもよい。また、各パラメータは送信されるストリームに要求される品質等に依って、ストリーム毎や受信局毎に設定されるものであってもよい。
【０１８２】
このような無線通信装置によれば、所定期間にフレームを送信することができるのは通信権を付与されたＳＴＡ１０２だけであるので、ＳＴＡ１０３の通信品質測定手段２４０は他の無線通信装置からの干渉を排除し、精度よく通信品質を測定することができる。
【０１８３】
また、通信権が付与されたＳＴＡ１０２がフレームを送信し、ＳＴＡ１０２宛に通信権を付与するＰｏｌｌフレームを受信したＳＴＡ１０３、あるいは他のＳＴＡおよび通信権を付与するＡＰ１０１の通信品質測定手段２４０が通信品質を測定するため、無線通信装置に複雑な機構を設けることなく、複数の無線通信装置との通信品質を測定することができる。また、受信局となる無線通信装置に通信品質の測定開始時期や測定期間を指示するための調整機構を備えることなく他の無線通信装置からの干渉を排除して通信品質の測定を行なうことができる。その結果、装置コストを低減させることができ、通信方式やフレームフォーマットを変えることなく、汎用性に優れた無線通信装置とすることができる。
【０１８４】
また、ＳＴＡ１０３の通信品質測定手段２４０は、通信権が付与されたＳＴＡ１０２がストリームデータのフレームを送信している所定期間内で通信品質を測定するため、他の通信を妨げることなく通信品質を測定することができる。 
【０１８５】
また、ＳＴＡ１０２は、受信したフレームが自装置宛であり、かつ通信品質情報を示すフレームであるときに、記憶テーブルに通信品質情報を記憶するので、不必要な通信品質情報を記憶することを防止することができる。また、ＳＴＡ１０２はフレームを送信していない、無線通信装置からの通信品質情報を記憶することができ、その無線通信装置に対してフレームを送信する際に、その記憶情報を用いて送信電力を制御することができる。
【０１８６】
また、ＳＴＡ１０２は、たとえば、記憶テーブルに記憶されているＳＴＡ１０３から送信されてきた通信品質情報および前回送信したフレームの送信電力として設定した送信電力情報に基づいて送信するフレームの送信電力を必要最小限に抑制することができ、消費電力を低減させることができる。
【０１８７】
また、ＳＴＡ１０２は、送信電力制御後に受信した通信品質情報を含むフレームの測定開始時刻が送信電力制御以前である場合において、誤った送信電力制御が行われることを防ぐことができる。
【０１８８】
また、ＳＴＡ１０２は、受信した通信品質情報を含むフレームの測定開始時刻がすでに記憶されている通信品質情報の測定開始時刻以前である場合、古い通信品質情報を記憶することを防ぐことができる。
【０１８９】
また、ＳＴＡ１０２は、送信電力制御後に記憶されている通信品質情報の測定開始時刻が送信電力制御以前である場合において、誤った送信電力制御が行われることを防ぐことができる。
［実施の形態１の変形例４］
次に実施の形態１の変形例４について説明する。この実施の形態１の変形例４では、実施の形態１、実施の形態１の変形例１、実施の形態１の変形例２および実施の形態１の変形例３と相違する点を主として説明する。実施の形態１、実施の形態１の変形例１、実施の形態１の変形例２および実施の形態１の変形例３では、通信権を与えられたＳＴＡ１０２が、ＳＴＡ１０３にストリームデータを送信するときに如何にして送信電力を制御するかについて説明した。実施の形態１の変形例４では、ＳＴＡ１０２が、複数の無線通信装置に対して一斉に同報フレームを送信するときに所定の送信電力で送信する例について説明する。
【０１９０】
図３５は、通信品質情報を受信して送信電力を制御するＳＴＡ１０２の機能ブロック図である。ＳＴＡ１０２の構成は、実施の形態１、実施の形態１の変形例１、実施の形態１の変形例２および実施の形態１の変形例３で説明したＳＴＡ１０２の構成とほぼ同じである。フレーム処理部２２０により送信フレーム判定手段３５０５が構成されており、この点が実施の形態１、実施の形態１の変形例１、実施の形態１の変形例２および実施の形態１の変形例３のＳＴＡ１０２と異なる。
【０１９１】
図３６は、ＳＴＡ１０２がフレームを送信するときに実行する送信電力を制御する処理を示したフローチャートである。まず、Ｓ３６００において、フレーム処理部２２０は、上位処理部２２５から、送信するフレームのヘッダ情報とペイロード情報とを受信する。
【０１９２】
Ｓ３６０５において、フレーム処理部２２０は、上位処理部２２５から受信した、これから送信するフレームのヘッダ情報を参照して、該フレームが、複数の無線通信装置に対する一斉同報フレームであるか否かを判断する。同報フレームであると判断したときは、Ｓ３６１５において、フレーム処理部２２０は、送信するフレームの送信電力を所定の値に設定する。この実施の形態１の変形例４では、たとえば、ｕｐｐｅｒ＿ｔｈを所定の値として送信電力を設定する。その後、このフローチャートは終了する。
【０１９３】
Ｓ３６０５において、同報フレームでないと判断したときは、Ｓ３６１０に進む。Ｓ３６１０において、フレーム処理部２２０は、記憶テーブルに「ＴＸ＿Ｐｏｗｅｒ」が記憶されているか否かを判断する。「ＴＸ＿Ｐｏｗｅｒ」が記憶されていないと判断したときは、Ｓ３６２０に進み、送信電力を所定の値に設定する。この実施の形態１の変形例４では、たとえば、ｕｐｐｅｒ＿ｔｈを所定の値として送信電力を設定して、Ｓ３６３０に進む。Ｓ３６３０において、フレーム処理部２２０は、記憶テーブルに送信電力情報を追加、更新する処理を行なう。その後、このフローチャートは終了する。
【０１９４】
Ｓ３６１０において、フレーム処理部２２０が記憶テーブルに「ＴＸ＿Ｐｏｗｅｒ」が記憶されていると判断したときは、Ｓ３６２５に進む。Ｓ３６２５おいて、フレーム処理部２２０は、送信電力をテーブルに記憶されている「ＴＸ＿Ｐｏｗｅｒ」の値に設定する。その後、このフローチャートは終了する。
【０１９５】
なお、実施の形態１の変形例４では、記憶テーブルの構成について説明しなかったが、これまで説明した実施の形態１や実施の形態１の変形例１等に示した送信電力情報を記憶するテーブルであれば、どのような構成であってもよい。
［実施の形態２］
次に実施の形態２について説明する。この実施の形態２では、実施の形態１、実施の形態１の変形例１、実施の形態１の変形例２、実施の形態１の変形例３および実施の形態１の変形例４と相違する点を主として説明する。実施の形態１等では、通信権を与えられたＳＴＡ１０２が、ＳＴＡ１０３にストリームデータを送信するときに如何にして送信電力を制御するかについて説明した。実施の形態２では、通信権を与えられたＳＴＡ１０２が、ＳＴＡ１０３にストリームデータの１つ目のフレームを送信するときにＳＴＡ１０３だけでなく、制御局であるＡＰ１０１が受信することができる送信電力に制御する例について、図３４、図３５および図３７を参照しながら説明する。
【０１９６】
図３４および図３５の説明は、実施の形態１の変形例１等と同様であるため詳細な説明を繰り返さない。図３７は、ＳＴＡ１０２が実行する通信権が付与された直後に送信するフレームの送信電力制御処理を示したフローチャートである。ＳＴＡ１０２は、ＡＰ１０１から送信されたＳＴＡ１０２宛のＰｏｌｌフレームを受信し、受信したＰｏｌｌフレームで指示された通信許可時間が始まると、フレームの送信電力を制御しながら、ＳＴＡ１０３へストリームデータ（ＴＳＩＤ１５）のフレームの送信を開始する。
【０１９７】
Ｓ３７００において、フレーム処理部２２０は、初期パラメータを設定する。実施の形態１等と同じく、フレーム処理部２２０は、ｕｐｐｅｒ＿ｔｈとして、たとえば、「２０」を設定し、ｌｏｗｅｒ＿ｔｈとして、たとえば、「−８０」を設定し、ｍａｒｇｉｎとして、たとえば、「１０」を設定する。
【０１９８】
Ｓ３７０５において、フレーム処理部２２０は、記憶テーブルにＳＴＡ１０３の「ＴＸ＿Ｐｏｗｅｒ」が記憶されているか否かを判断する。「ＴＸ＿Ｐｏｗｅｒ」が記憶されていないと判断したときは、Ｓ３７２０に進み、送信電力を所定の値に設定する。この実施の形態２では、フレーム処理部２２０は、たとえば、ｕｐｐｅｒ＿ｔｈを所定の値として送信電力を設定する。Ｓ３７４０において、Ｓ３７２０で設定した値を記憶テーブルに追加する。その後、このフローチャートを終了する。一方、Ｓ３７０５において、「ＴＸ＿Ｐｏｗｅｒ」が記憶されていると判断したときは、Ｓ３７１０に進む。
【０１９９】
Ｓ３７１０において、フレーム処理部２２０は、記憶テーブルにＳＴＡ１０３の「ＲＳＳＩ」が記憶されているか否かを判断する。「ＲＳＳＩ」が記憶されていないと判断したときは、Ｓ３７４５に進み、送信電力を所定の値に設定する。その後、このフローチャートを終了する。一方、Ｓ３７１０において、「ＲＳＳＩ」が記憶されていると判断したと
きは、Ｓ３７１５に進む。
【０２００】
Ｓ３７１５において、フレーム処理部２２０は、ＳＴＡ１０３に送信しようとしているフレームが、Ｐｏｌｌフレームにより通信権が付与された直後に送信するフレームであるか否かを判断する。通信権が付与された直後に送信するフレームであると判断したときは、Ｓ３７２５に進む。
【０２０１】
Ｓ３７２５において、フレーム処理部２２０は、記憶テーブルにＡＰ１０１の「ＴＸ＿Ｐｏｗｅｒ」および「ＲＳＳＩ」が記憶されているか否かを判断する。「ＴＸ＿Ｐｏｗｅｒ」もしくは「ＲＳＳＩ」が記憶されていないと判断したときは、Ｓ３７４５に進み、送信電力を所定の値に設定する。その後、このフローチャートを終了する。一方、Ｓ３７２５において、「ＴＸ＿Ｐｏｗｅｒ」および「ＲＳＳＩ」が記憶されていると判断したときは、Ｓ３７３０に進む。
【０２０２】
Ｓ３７３０において、フレーム処理部２２０は、フレームの送信先と制御局であるＡＰ１０１とのそれぞれにおいて「ＴＸ＿Ｐｏｗｅｒ−ＲＳＳＩ」＋ｌｏｗｅｒ＿ｔｈ＋ｍａｒｇｉｎ」の式に基づいて送信電力の値を求め、両者のうち大きい方の値を送信電力に設定する。但し、求めた値がｕｐｐｅｒ＿ｔｈの値を超えるときは、ｕｐｐｅｒ＿ｔｈ以下の値を送信電力に設定する。たとえば、記憶テーブルが図３４の状態であったとき、ＳＴＡ１０３の値が「１０」、ＡＰ１０１の値が「１５」となり、送信電力を「１５」に設定する。その後、このフローチャートを終了する。
【０２０３】
一方、Ｓ３７１５において、フレーム処理部２２０は、ＳＴＡ１０３に送信しようとしているフレームが、Ｐｏｌｌフレームにより通信権が付与された直後に送信するフレームでないと判断したときは、Ｓ３７３５に進む。以後の流れは、実施の形態１と同様のためここでは詳細な説明を繰り返さない。
【０２０４】
なお、前述した実施の形態１、実施の形態１の変形例１、実施の形態１の変形例２、実施の形態１の変形例３および実施の形態２では、測定した通信品質情報を用いた通信制御として送信電力制御を例として説明したがこれに限られるものではない。たとえば、送信レート制御やストリームの符号化レート制御やフレーム分割制御などの通信制御であっても構わない。また、通信品質を測定した無線通信装置における誤り訂正符号の復号パラメータやダイバーシティアンテナの切り替え指標として通信制御に用いても構わない。
【０２０５】
また、前述した実施の形態１、実施の形態１の変形例１、実施の形態１の変形例２、実施の形態１の変形例３および実施の形態２では、ＳＴＡ１０２からＳＴＡ１０３にストリームデータが送信されることを前提として説明した。そのため、図２は通信品質を測定し、通信品質情報を示すフレームを送信するＳＴＡ１０３の構成として説明し、図５および図３５は通信品質情報を受信し、送信電力を制御するＳＴＡ１０２の構成として説明したがこれに限られない。たとえば、ＳＴＡ１０２およびＳＴＡ１０３は、それぞれが送信局としての無線通信装置あるいは受信局としての無線通信装置になりうる。しがたって、ＳＴＡ１０２およびＳＴＡ１０３は、それぞれ図２、図５および図３５の構成を組み合わせたものであってもよい。
【０２０６】
また、前述した実施の形態１、実施の形態１の変形例１、実施の形態１の変形例２、実施の形態１の変形例３および実施の形態２では、ＳＴＡ１０２が通信権を付与するＰｏｌｌフレームを１つ受信したときに、ストリーム（ＴＳＩＤ１５）を１つ送信する例を示したが、これに限られない。たとえば、ＳＴＡ１０２が通信権を付与するＰｏｌｌフレームを１つ受信したときに、複数のストリーム（たとえば、ＴＳＩＤ１５およびＴＳＩＤ１４）を送信するようにしてもよい。この場合は、ＴＳＩＤ毎に通信品質を測定し、それ 
ぞれの通信品質情報を送信するようにしてもよい。
【０２０７】
また、前述した実施の形態１、実施の形態１の変形例１、実施の形態１の変形例２、実施の形態１の変形例３および実施の形態２では、所定期間を定めてフレームの送信を許可する通信権を付与するフレームとしてＰｏｌｌフレーム（QoS-CF-Pollフレーム）を示したが、これに限られない。たとえば、所定期間を定めてフレームの送信を許可することができるフレームであれば、どのようなフレームであってもよい。
【０２０８】
また、前述した実施の形態１、実施の形態１の変形例１、実施の形態１の変形例２および実施の形態１の変形例３では、ＳＴＡ１０３からＳＴＡ１０２に送信される通信品質情報は、たとえば、図４８および図４９に示されるような８段階の受信電界強度の時間密度ヒストグラム情報である例を示したが、これに限られない。たとえば、ＳＴＡ１０３からＳＴＡ１０２に送信される通信品質情報は、エラーレートを測定した測定結果であってもよいし、ＥＶＭ（Error Vector Magnitude）、ＳＮＲ（Signal Noise Ratio）、エラーフレームの受信連続回数（もしくは、フレームの受信成功連続回数）を測定した測定結果であってもよい。この場合は、エラーレートに基づいて送信電力を制御してもよいし、ＥＶＭ（Error Vector Magnitude）、ＳＮＲ（Signal Noise Ratio）、エラーフレームの受信連続回数（もしくは、フレームの受信成功連続回数）が所定の値を満たしているか否かに基づいて送信電力を制御してもよい。
【０２０９】
また、前述した実施の形態１、実施の形態１の変形例１、実施の形態１の変形例２、実施の形態１の変形例３、実施の形態１の変形例４および実施の形態２では、記憶部５１５に構成されている記憶テーブルの端末情報として、たとえば図２１に示すように「ＳＴＡ１０３」や「ＡＰ１０１」という端末名称を用いる例を示したが、これに限られない。たとえば、端末のアドレスなどの識別に用いるようにしてもよい。
【０２１０】
また、前述した実施の形態１、実施の形態１の変形例１、実施の形態１の変形例２、実施の形態１の変形例３、実施の形態１の変形例４および実施の形態２では、記憶部５１５に構成されている記憶テーブルとして、たとえば図８や図２０に示すような記憶テーブルを示したが、これに限られない。たとえば、フレームの送信電力の制御を行なうアルゴリズムに適したデータ構造の記憶テーブルであればどのようなものであってもよい。
【０２１１】
また、前述した実施の形態１、実施の形態１の変形例１、実施の形態１の変形例２、実施の形態１の変形例３、実施の形態１の変形例４および実施の形態２では、記憶部５１５の構成が記憶テーブルであるものとして説明したが、このデータ構造に限られるものではない。たとえば、木構造やリスト構造であってもよい。
【０２１２】
また、前述した実施の形態１、実施の形態１の変形例１、実施の形態１の変形例２、実施の形態１の変形例３および実施の形態２では、フレーム処理部２２０は、フレームの送信電力を制御するときに、初期パラメータとして「ｕｐｐｅｒ＿ｔｈ」、「ｌｏｗｅｒ＿ｔｈ」および「ｍａｒｇｉｎ」を設定する例を示したが、これに限られない。たとえば、フレームの送信電力制御やその他の通信制御をするために必要となるパラメータであればどのようなパラメータであってもよい。また、「ｕｐｐｅｒ＿ｔｈ」、「ｌｏｗｅｒ＿ｔｈ」および「ｍａｒｇｉｎ」のうちの一部だけを初期パラメータとして設定してもよい。
【０２１３】
また、前述した実施の形態１、実施の形態１の変形例１、実施の形態１の変形例２、実施の形態１の変形例３、実施の形態１の変形例４および実施の形態２では、制御局であるＡＰ１０１の構成について図示しなかった。しかし、ＡＰ１０１は無線通信装置であるので、ＳＴＡ１０２およびＳＴＡ１０３と同じ構成であってもよい。
【０２１４】
また、前述した実施の形態１の変形例１および実施の形態１の変形例３では、送信電力制御時刻と通信品質測定開始時刻の比較において不等号記号「≦」を用いたが、これに限られない。「＜」であってもよい。
【０２１５】
また、前述した実施の形態１の変形例１では、受信した通信品質情報の通信品質測定開始時刻と記憶テーブルに記憶されている通信品質測定開始時刻の比較において不等号記号「＜」を用いたが、これに限られない。「≦」であってもよい。
【０２１６】
また、前述した実施の形態１の変形例１および実施の形態の変形例３では、通信品質測定開始時刻を時系列の判定に用いたが、これに限られない。通信品質測定終了時刻などであってもよい。
【０２１７】
実施の形態２に示した無線通信装置によれば、送信側のＳＴＡ１０２のフレーム処理部２２０が、これからＳＴＡ１０３に送信しようとしているフレームが、Ｐｏｌｌフレームにより通信権が付与された後最初に送信するフレームであると判断したときに、送信するフレームの送信電力をＡＰ１０１が受信することができる送信電力を所定の送信電力として設定する。従って、ＡＰ１０１は、ＳＴＡ１０２からＳＴＡ１０３に送信されたフレームを受信することができないということはなく、ＳＴＡ１０２がフレームの送信を行なわなかったと判断することを防止することができ、他のＳＴＡに通信権を付与することを防止することができる。
［実施の形態３］
次に実施の形態３について説明する。この実施の形態３では、上述の実施の形態１等と相違する点を主として説明する。実施の形態１等では、図４のＳ４２５において、Ｐｏｌｌフレームによって割り当てられた所定時間内で通信品質の測定を行なう処理について説明した。実施の形態３では、図３８を用いてＰｏｌｌフレームの直後に受信したフレームは通信品質の測定対象としない例について説明する。
【０２１８】
図３８は、Ｐｏｌｌフレームの直後に受信したフレームを通信品質の測定対象から除く処理を示したフローチャートである。なお、図３８に示す処理は、図４のＳ４２５において、Ｐｏｌｌフレームで割り当てられた所定時間内で通信品質の測定を行なう処理である。すなわち、図３８に示す処理は、ＳＴＡ１０３が実行する。
【０２１９】
Ｓ５０００では、通信品質測定手段２４０が、Ｐｏｌｌフレームで割り当てられた所定時間を読み出す。その後、ステップＳ５００５に進む。Ｓ５００５では、受信部２１０が受信された変調されたフレームを復調し、復調部２１５は復調されたフレームを復元する。その後、ステップＳ５０１０に進む。
【０２２０】
Ｓ５０１０では、フレーム処理部２２０が、復元されたフレームがＰｏｌｌの直後に受信したフレームか否かを判定する。Ｐｏｌｌフレームの直後に受信したフレームであった場合は、Ｓ５０１５の受信フレームの品質測定を行なうことなく、Ｓ５０２０に進む。
【０２２１】
Ｓ５０２０では、通信品質測定手段２４０が、図３８の処理が開始されてから、Ｐｏｌｌフレームで割り当てられた所定時間が過ぎているか否かを判定する。所定時間が過ぎていなければ、Ｓ５０００に戻る。一方、所定時間が過ぎていれば、測定を終了する。
【０２２２】
Ｓ５０１０において、Ｐｏｌｌフレームの直後に受信したフレームでない場合は、Ｓ５０１５に進む。Ｓ５０１５では、通信品質測定手段２４０が、受信フレームの品質測定を行なう。
【０２２３】
上述の実施の形態３によって、実施の形態２で示すように、Ｐｏｌｌの直後に送信するフレームを制御局であるＡＰ１０１も受信できるように送信電力を制御し、送信した場合であっても、通信品質測定情報からＰｏｌｌの直後のフレームは除外されるため、ＳＴＡ１０２はこの通信品質測定情報を用いて、適切に送信電力制御を行なうことができるようになる。
［実施の形態４］
次に実施の形態４について説明する。この実施の形態４では、Ｐｏｌｌで割り当てられた所定時間内で通信品質測定を行っている間に、所定時間の終了を示すフレームを受信した場合、通信品質の測定を中断する処理について説明する。実施の形態４では、図３９を用いて説明するが、上述の実施の形態３の図３８と同一の処理には同一の番号を付し、その処理の詳細な説明は繰り返さない。なお、図３９に示す処理は、ＳＴＡ１０３が実行する。以下においては、図３９に示す処理と異なる処理について説明する。
【０２２４】
Ｓ５００８では、フレーム処理部２２０が、復元されたフレームが所定時間の終了を示すフレームであるか否かを判定する。具体的には、たとえば、受信したフレームのＤｕｒａｔｉｏｎ／ＩＤ３１０フィールドのＤｕｒａｔｉｏｎ情報が“０”になっている場合は、所定時間の終了を示す。Ｓ５００８において、所定時間の終了を示すフレームである、と判定された場合は、通信品質の測定を終了する。
【０２２５】
Ｓ５００８において、所定時間の終了を示すフレームでないと判定された場合、Ｓ５０１０へ進み、通信品質の測定を継続する。
【０２２６】
上述の実施の形態４によって、ＳＴＡ１０２が、制御局であるＡＰ１０１によって付与された通信権を返却した場合に、Ｐｏｌｌで定められた所定時間を切り上げて測定を終了することで、送信電力制御に不要な通信品質情報を除くことができる。
【０２２７】
なお、実施の形態４において、Ｓ５０１０の判定処理は、Ｓ５００８の処理に先立って実行されるものであっても構わない。また、実施の形態４において、Ｓ５０１０の判定処理がないものであっても構わない。
【０２２８】
なお、実施の形態４において、所定時間の終了を示す場合として、受信したフレームのＤｕｒａｔｉｏｎ／ＩＤ３１０フィールドのＤｕｒａｔｉｏｎ情報が“０”になっている場合を例に説明したが、これに限定されるものではない。例えば、Ｄｕｒａｔｉｏｎ情報が限りなく小さく、“０”に近い値になっている場合であっても良い。
［実施の形態５］
次に実施の形態５について説明する。この実施の形態５では、上述の実施の形態１等と相違する点を主として説明する。実施の形態１等では、制御局であるＡＰ１０１と送信局であるＳＴＡ１０２と受信局であるＳＴＡ１０３がそれぞれ別々の機器であるＤＬＳ（Direct Link Setting）の形態を前提として、ＳＴＡ１０２が送信電力制御を行なう方法について説明した。
【０２２９】
実施の形態５では、図４０、図４１および図４２を用いて、制御局であるＡＰ／ＨＣ１０４が、送信局であるＳＴＡ１０２から送信されたフレームを受信する受信局であり、ＢＳＳ１１０Ａで構成されるインフラストラクチャネットワークがアップリンク形態である場合について説明する。すなわち、ＢＳＳ１１０Ａにおいては、ストリームデータのフレームが、ＳＴＡ１０２からＡＰ／ＨＣ１０４へ送信される。
【０２３０】
図４１は、ＡＰ／ＨＣ１０４の機能ブロック図である。図４１を参照して、ＡＰ／ＨＣ１０４は、図３５のＳＴＡ１０２と同様な構成であるので詳細な説明は繰り返さない。なお、受信部２１０、復調部２１５およびフレーム処理部２２０が、通信品質測定手段２４０を構成している。
【０２３１】
図４０に示すように、ＡＰ／ＨＣ１０４は制御局であると同時に、ＳＴＡ１０２からフレームを送信される受信局でもある。したがって、ＡＰ／ＨＣ１０４は、ＳＴＡ１０２に対して、フレームの送信を所定期間許可する通信権を付与するフレーム（Ｐｏｌｌ）を送信した場合に、上述実施の形態１等と同様に、ＳＴＡ１０２に対して付与した通信権の所定期間において、通信品質の測定を行なう。
【０２３２】
具体的には、たとえば、ＳＴＡ１０２へ送信する送信フレームを、ＡＰ／ＨＣ１０４の送信フレーム判定手段３５０５がＰｏｌｌであると判定した場合に、通信品質測定手段２４０において、Ｐｏｌｌで割り当てられる所定期間内で通信品質の測定を行なう。
【０２３３】
通信品質測定後の処理については、上述の実施の形態１等と同様である。
図４２は、アップリンクにおけるフレームの送受信を示した図である。図４２を参照して、まず、ＡＰ／ＨＣ１０４からＳＴＡ１０２へ通信権付与を示すＰｏｌｌフレームが送信される。
【０２３４】
Ｐｏｌｌフレームによって示された送信許可期間において、ＡＰ／ＨＣ１０４はＳＴＡ１０２から送信されるフレームの通信品質を測定する。なお、Ｐｏｌｌフレームによって示された送信許可期間は、Ｐｏｌｌで割り当てられる所定期間と同じ時間である。送信許可期間が終了すると、ＡＰ／ＨＣ１０４は、通信品質の測定を終了し、測定情報を含むフレームをＳＴＡ１０２へ送信する。
【０２３５】
上述の実施の形態５における受信局兼制御局によれば、送信するＰｏｌｌフレームで割り当てられた所定期間内で通信品質を測定することで、干渉を排除して通信品質を測定することができる。
［実施の形態５の変形例］
次に実施の形態５の変形例について説明する。この実施の形態５では、上述の実施の形態５と相違する点を主として説明する。実施の形態５では、制御局が、ＳＴＡ１０２からフレームを送信される受信局でもあるアップリンクの形態の場合について説明した。
【０２３６】
実施の形態５の変形例では、図４１、図４３および図４４を用いて、制御局であるＡＰ／ＨＣ１０４が、ＳＴＡ１０３へフレームを送信する送信局でもあり、ＢＳＳ１１０Ｂで構成されるインフラストラクチャネットワークがダウンリンク形態である場合について説明する。すなわち、ＢＳＳ１１０Ｂにおいては、ストリームデータのフレームが、ＡＰ／ＨＣ１０４からＳＴＡ１０３へ送信される。
【０２３７】
図４３に示すように、ＡＰ／ＨＣ１０４は制御局であると同時に、ＳＴＡ１０３へフレームを送信する送信局である場合、ＡＰ／ＨＣ１０４は自局宛にＰｏｌｌフレームを送信せずに、ＳＴＡ１０３へのフレーム送信を開始する場合がある。すなわち、ＡＰ／ＨＣ１０４は、自装置に対し、所定期間の信号の送信を許可する通信権を付与する機能を有する。
【０２３８】
このとき、ＳＴＡ１０３は、他局宛のＰｏｌｌフレームによって通信品質測定を開始するのではなく、ＡＰ／ＨＣ１０４から送信されて受信したフレームのＤｕｒａｔｉｏｎ／ＩＤ３１０フィールド等を参照する。この値が該受信フレーム長から計算できるメディア（無線通信路）がビジーとなる時間（以下、メディアビジー期間ともいう）より十分に大きい値が入っていた場合等に、フレームの送信を許可する通信権の所定期間が開始されたと認識して、通信品質の測定を行う。すなわち、ＳＴＡ１０３は受信したフレームのＤｕｒａｔｉｏｎ／ＩＤ３１０フィールド等を参照し、この値がメディアビジー期間より十分に大きい値が入っていた場合、ＳＴＡ１０３はＤｕｒａｔｉｏｎ／ＩＤ３１０フィールドで示される期間内で通信品質の測定を行う。
【０２３９】
具体的には、例えば、ＳＴＡ１０３は、図２のフレーム処理部２２０において、受信フレームのＤｕｒａｔｉｏｎ／ＩＤ３１０フィールドの値が、メディアビジー期間より十分大きい値であるか否かを判定する。Ｄｕｒａｔｉｏｎ／ＩＤ３１０フィールドの値が十分大きい値であった場合、図２のフレーム処理部２２０は、Ｄｕｒａｔｉｏｎ／ＩＤ３１０フィールドの値を所定期間として、通信品質測定を行う。
【０２４０】
図４４は、ダウンリンクにおけるフレームの送受信を示した図である。ＡＰ／ＨＣ１０４は通信権付与のためのＰｏｌｌフレームを送信せずにＳＴＡ１０３に対してデータフレームの送信を開始する。ＳＴＡ１０３は上述のように、受信したフレームのＤｕｒａｔｉｏｎ／ＩＤ３０１フィールド等を参照する。そして、ＳＴＡ１０３はフレームの送信を許可する通信権の所定期間開始を認識して、所定期間内でＡＰ／ＨＣ１０４から送信されるフレームの通信品質を測定する。所定期間が終了すると、通信品質の測定を終了し、測定情報を含むフレームをＡＰ／ＨＣ１０４へ送信する。
【０２４１】
通信品質測定後の処理については、上述の実施の形態１等と同様である。
上述の実施の形態５の変形例における受信局によれば、Ｐｏｌｌフレームが送信されずに所定期間の送信を許可する通信権付与が行われる場合であっても、所定期間内で通信品質測定を行うことができる。
【０２４２】
なお、実施の形態５の変形例では、受信フレームのＤｕｒａｔｉｏｎ／ＩＤ３１０フィールドを参照する例について説明したが、これに限定されるものではない。例えば、図３のＱｏＳＣｏｎｔｒｏｌ３２０フィールドを参照しても良い。また、ＦｒａｍｅＣｏｎｔｒｏｌ３０５フィールドがＱｏＳデータフレームであることを示すことを判定要素としても良い。
【０２４３】
なお、今回開示された実施の形態はすべての点で例示であって制限的なものではないと考えられるべきである。本発明の範囲は上記した説明ではなく特許請求の範囲によって示され、特許請求の範囲と均等の意味および範囲内でのすべての変更が含まれることが意図される。
【図面の簡単な説明】
【０２４４】
【図１】１つのＢＳＳ（Basic Service Set）で構成されるインフラストラクチャネットワークの概略を示す図である。
【図２】通信品質の測定を行なうＳＴＡの機能ブロック図である。
【図３】フレームフォーマットの一例を示す図である。
【図４】ＳＴＡが実行する通信品質を測定する処理を示すフローチャートである。
【図５】通信品質情報を受信して送信電力を制御するＳＴＡの機能ブロック図である。
【図６】ＳＴＡが実行するフレームの送信電力を制御する処理を示すフローチャートである。
【図７】送信電力情報を記憶することができる記憶テーブルの初期状態を示す図である。
【図８】送信電力情報が記憶されている記憶テーブルの一例を示す図である。
【図９】ＳＴＡが実行する通信品質情報に基づいて制御した送信電力を送信電力情報として記憶テーブルに追加、更新する処理を示すフローチャートである。
【図１０】送信電力情報が記憶されている記憶テーブルの一例を示す図である。
【図１１】ＳＴＡが実行する通信品質情報、通信品質測定開始時刻、送信電力情報および送信電力制御時刻に基づいて制御した送信電力を送信電力情報と送信電力制御時刻を記憶テーブルに追加、更新する処理を示すフローチャートである。
【図１２】送信電力情報と送信電力制御時刻とを記憶することができる記憶テーブルの初期状態を示す図である。
【図１３】送信電力情報と送信電力制御時刻とが記憶さている記憶テーブルの一例を示す図である。
【図１４】送信電力情報と送信電力制御時刻が記憶されている記憶テーブルの一例を 示す図である。
【図１５】ＳＴＡが実行する通信品質情報を記憶テーブルに追加、更新する処理を示すフローチャートである。
【図１６】通信品質情報を記憶することができる記憶テーブルの初期状態を示す図である。
【図１７】通信品質情報が記憶されている記憶テーブルの一例を示す図である。
【図１８】送信電力情報および通信品質情報を記憶することができる記憶テーブルの初期状態を示す図である。
【図１９】通信品質情報が記憶されている記憶テーブルの一例を示す図である。
【図２０】送信電力情報および通信品質情報を記憶することができる記憶テーブルの初期状態を示す図である。
【図２１】通信品質情報が記憶されている記憶テーブルの一例を示す図である。
【図２２】ＳＴＡが実行する通信品質情報および送信電力情報に基づいて制御した送信電力を送信電力情報として記憶テーブルに追加、更新する処理を示すフローチャートである。
【図２３】送信電力情報が記憶されている記憶テーブルの一例を示す図である。
【図２４】通信品質情報および送信電力情報が記憶されている記憶テーブルの一例を示す図である。
【図２５】ＳＴＡが実行する通信品質情報と通信品質測定開始時刻を記憶テーブルに追加、更新する処理を示すフローチャートである。
【図２６】通信品質情報と通信品質測定開始時刻とを記憶することができる記憶テーブルの初期状態を示す図である。
【図２７】通信品質情報と通信品質測定開始時刻とが記憶さている記憶テーブルの一例を示す図である。
【図２８】送信電力情報および送信電力制御時刻と、通信品質情報および通信品質測定開始時刻とを記憶することができる記憶テーブルの初期状態を示す図である。
【図２９】送信電力情報および送信電力制御時刻と、通信品質情報および通信品質測定開始時刻とが記憶されている記憶テーブルの一例を示す図である。
【図３０】ＳＴＡが実行するフレームの送信電力の制御と、送信電力情報および送信電力制御時刻を記憶テーブルへ追加・更新する処理とを示すフローチャートである。
【図３１】送信電力情報および送信電力制御時刻と、通信品質測定開始時刻とが記憶されている記憶テーブルの一例を示す図である。
【図３２】送信電力情報および送信電力制御時刻と、通信品質情報および通信品質測定開始時刻とが記憶されている記憶テーブルの一例を示す図である。
【図３３】送信電力情報および送信電力制御時刻と、通信品質情報および通信品質測定開始時刻とが記憶されている記憶テーブルの一例を示す図である。
【図３４】通信品質情報および送信電力情報が記憶されている記憶テーブルの一例を示す図である。
【図３５】通信品質情報を受信して送信電力を制御するＳＴＡの機能ブロック図である。
【図３６】ＳＴＡが同報フレームを送信するときに実行する送信電力を制御する処理を示したフローチャートである。
【図３７】ＳＴＡが実行する通信権が付与された直後に送信するフレームの送信電力制御処理を示したフローチャートである。
【図３８】Ｐｏｌｌフレームの直後に受信したフレームを通信品質の測定対象から除く処理を示したフローチャートである。
【図３９】Ｐｏｌｌで割り当てられた所定時間内で通信品質測定を行っている間に、所定時間の終了を示すフレームを受信した場合、通信品質の測定を中断する処理を示したフローチャートである。
【図４０】ＢＳＳで構成されるインフラストラクチャネットワークがアップリンク形態であることを示す図である。
【図４１】ＡＰ／ＨＣの機能ブロック図である。
【図４２】アップリンク形態において、通信品質測定とその測定情報の送信の流れを示す図である。
【図４３】ＢＳＳで構成されるインフラストラクチャネットワークがダウンリンク形態であることを示す図である。
【図４４】ダウンリンク形態において、通信品質測定とその測定情報の送信の流れを示す図である。
【図４５】１つのＢＳＳで構成されるインフラストラクチャネットワークの概略を示す図である。
【図４６】送信側のＳＴＡが送信電力を制御してフレームを送信する処理の流れを示す図である。
【図４７】フレーム（Measurement Request Frame）の一部のフレームフォーマットを示す図である。
【図４８】フレーム（Measurement Report Frame）の一部のフレームフォーマットを示す図である。
【図４９】ＲＰＩ（Receive Power Indicator）ヒストグラム情報の受信レベル毎の定義を示した図である。
【符号の説明】
【０２４５】
１０１  ＡＰ、１０２  ＳＴＡ、１０３  ＳＴＡ、１１０  ＢＳＳ、２０５  アンテナ、２１０  受信部、２１５  復調部、２２０  フレーム処理部、２２５  上位処理部、２３０  変調部、２３５  送信部、２４０  通信品質測定手段、２４５  通信品質送信手段、５０５  送信電力制御手段、５１０  送信電力設定手段、５１５  記憶部、３５０５  送信フレーム判定手段。
【図１】
2006191532.tif 000003
【図２】
2006191532.tif 000004
【図３】
2006191532.tif 000005
【図４】
2006191532.tif 000006
【図５】
2006191532.tif 000007
【図６】
2006191532.tif 000008
【図７】
2006191532.tif 000009
【図８】
2006191532.tif 000010
【図９】
2006191532.tif 000011
【図１０】
2006191532.tif 000012
【図１１】
2006191532.tif 000013
【図１２】
2006191532.tif 000014
【図１３】
2006191532.tif 000015
【図１４】
2006191532.tif 000016
【図１５】
2006191532.tif 000017
【図１６】
2006191532.tif 000018
【図１７】
2006191532.tif 000019
【図１８】
2006191532.tif 000020
【図１９】
2006191532.tif 000021
【図２０】
2006191532.tif 000022
【図２１】
2006191532.tif 000023
【図２２】
2006191532.tif 000024
【図２３】
2006191532.tif 000025
【図２４】
2006191532.tif 000026
【図２５】
2006191532.tif 000027
【図２６】
2006191532.tif 000028
【図２７】
2006191532.tif 000029
【図２８】
2006191532.tif 000030
【図２９】
2006191532.tif 000031
【図３０】
2006191532.tif 000032
【図３１】
2006191532.tif 000033
【図３２】
2006191532.tif 000034
【図３３】
2006191532.tif 000035
【図３４】
2006191532.tif 000036
【図３５】
2006191532.tif 000037
【図３６】
2006191532.tif 000038
【図３７】
2006191532.tif 000039
【図３８】
2006191532.tif 000040
【図３９】
2006191532.tif 000041
【図４０】
2006191532.tif 000042
【図４１】
2006191532.tif 000043
【図４２】
2006191532.tif 000044
【図４３】
2006191532.tif 000045
【図４４】
2006191532.tif 000046
【図４５】
2006191532.tif 000047
【図４６】
2006191532.tif 000048
【図４７】
2006191532.tif 000049
【図４８】
2006191532.tif 000050
【図４９】
2006191532.tif 000051
【手続補正書】
【提出日】平成17年11月22日(2005.11.22)
【手続補正１】
【補正対象書類名】特許請求の範囲
【補正対象項目名】全文
【補正方法】変更
【補正の内容】
【特許請求の範囲】
【請求項１】
制御局としての無線通信装置から、所定期間を定めて信号の送信を許可する通信権を付与する通信許可信号を受信した場合に、信号を送信する他の無線通信装置から信号を受信する無線通信装置であって、
受信した受信信号を解析する受信信号解析手段と、
通信品質を測定する測定手段とを備え、
前記測定手段は、前記受信信号解析手段により、前記受信信号が前記他の無線通信装置宛に前記通信権を付与する前記通信許可信号であると解析された場合、前記他の無線通信装置との通信品質を前記所定期間内で測定する、無線通信装置。
【請求項２】
前記測定手段により測定された前記通信品質の測定結果を示す品質情報信号を、前記通信権が付与された前記他の無線通信装置に送信する通信品質送信手段をさらに備える、請求項１に記載の無線通信装置。
【請求項３】
制御局としての無線通信装置から、所定期間を定めて信号の送信を許可する通信権を付与する通信許可信号を受信した場合に、他の無線通信装置に対して信号を送信する無線通信装置であって、
受信した受信信号を解析する受信信号解析手段と、
前記他の無線通信装置に送信する送信信号の送信電力を制御する送信電力制御手段と、
前記送信電力制御手段により制御された送信電力の情報である送信電力情報を記憶する送信電力情報記憶手段とを備え、
前記送信電力制御手段は、前記受信信号解析手段により、前記受信信号が自装置宛であり、かつ、前記他の無線通信装置が前記所定期間内で測定した、自装置との通信品質を示す品質情報信号であると解析された場合に、前記送信電力情報と前記品質情報信号に示された前記通信品質の測定結果とに基づいて、前記他の無線通信装置に送信する前記送信信号の前記送信電力を制御する、無線通信装置。
【請求項４】
前記送信電力情報記憶手段は、前記送信電力制御手段により前記送信信号の前記送信電力を制御したときの送信電力制御時刻をさらに記憶し、
前記品質情報信号は、前記通信品質の測定開始時刻を示す情報を含み、
前記送信電力制御手段は、前記受信信号解析手段により、前記受信信号が自装置宛であって、かつ、前記品質情報信号であると解析された場合であって、さらに、前記通信品質の測定開始時刻が前記送信電力制御時刻以後であると解析された場合、前記送信電力情報と前記品質情報信号に示された前記通信品質の測定結果とを用いて、前記他の無線通信装置に送信する前記送信信号の前記送信電力を制御する、請求項３に記載の無線通信装置。
【請求項５】
所定期間の信号の送信を許可する通信権を制御局から与えられた送信局と通信を行なう、受信局としての無線通信装置であって、
前記送信局に対する前記通信権を付与する信号を受信した場合、前記送信局との通信品質を前記所定期間内で測定する測定手段を備える、無線通信装置。
【請求項６】
所定期間の信号の送信を許可する通信権を制御局から与えられた送信局と通信を行なう、受信局としての無線通信装置であって、
前記送信局に前記通信権が付与されたことを認識した場合、前記送信局との通信品質を前記所定期間内で測定する測定手段を備える、無線通信装置。
【請求項７】
前記測定手段により測定された前記通信品質の測定結果を少なくとも含む測定情報を、前記送信局に送信する通信品質送信手段をさらに備える、請求項５または請求項６に記載の無線通信装置。
【請求項８】
受信信号を判定する、受信信号判定手段をさらに備え、
前記受信信号判定手段は、前記受信信号が前記通信権が付与されてから、最初に送信された信号であるか否かを判定し、
前記受信信号判定手段が、前記最初に送信された信号であると判定した場合に、前記測定手段は、前記最初に送信された信号を除いて、前記通信品質の測定を行なう、請求項５〜請求項７のいずれかに記載の無線通信装置。
【請求項９】
前記受信信号が前記通信権に対応する前記所定期間が終了することを示す信号であると、前記受信信号判定手段により判定された場合、前記測定手段は、前記通信品質の測定を終了する、請求項８に記載の無線通信装置。
【請求項１０】
前記無線通信装置は、前記送信局に対して前記所定期間の信号の送信を許可する前記通信権を付与する機能を有する、請求項６〜請求項９のいずれかに記載の無線通信装置。
【請求項１１】
所定期間の信号の送信を許可する通信権を制御局から与えられることにより、受信局と通信する送信局としての無線通信装置であって、
前記受信局との通信品質の測定結果に基づいて、前記受信局に対して送信する送信信号の送信電力を制御する送信電力制御手段を備える、無線通信装置。
【請求項１２】
前記通信品質は、前記所定期間内で測定される、請求項１１に記載の無線通信装置。
【請求項１３】
前記通信品質は、前記受信局にて測定され、前記通信品質の測定結果を少なくとも含む測定情報を前記受信局から受信する、請求項１２に記載の無線通信装置。
【請求項１４】
前記送信電力の情報を記憶する送信電力情報記憶手段をさらに備え、
前記送信電力制御手段は、前記送信電力情報記憶手段に記憶されている前記送信電力の情報と、前記通信品質の測定結果とに基づいて、前記受信局に対して送信する送信信号の送信電力を制御する、請求項１３に記載の無線通信装置。
【請求項１５】
前記送信電力情報記憶手段は、前記受信局に対して送信する前記送信信号の送信電力を前記送信電力制御手段が制御したときの時刻である送信電力制御時刻をさらに記憶し、
前記測定情報は、前記通信品質の測定開始時刻をさらに含み、
前記送信電力制御手段は、前記測定開始時刻が前記送信電力制御時刻以後である場合、前記送信電力情報記憶手段に記憶されている前記送信電力の情報と、前記通信品質の測定結果とに基づいて、前記受信局に送信する前記送信信号の前記送信電力を制御する、請求項１４に記載の無線通信装置。
【請求項１６】
前記測定情報を前記受信局から受信した場合に、前記測定情報を記憶する通信品質記憶手段をさらに備える、請求項１３〜請求項１５のいずれかに記載の無線通信装置。
【請求項１７】
前記送信電力制御手段は、前記通信品質記憶手段に記憶された前記測定情報と、前記送信電力情報記憶手段に記憶された前記送信電力の情報とに基づいて、前記受信局に対して送信する前記送信信号の前記送信電力を制御する、請求項１６に記載の無線通信装置。
【請求項１８】
前記送信電力制御手段は、前記通信品質記憶手段に記憶されている前記測定情報に含まれる前記通信品質の測定開始時刻が、前記送信電力情報記憶手段に記憶されている前記送信電力制御時刻以後である場合に、前記通信品質記憶手段に記憶されている前記測定情報に含まれる前記通信品質の測定結果と前記送信電力情報記憶手段に記憶されている前記送信電力の情報とに基づいて、前記受信局に対して送信する前記送信信号の前記送信電力を制御する、請求項１７に記載の無線通信装置。
【請求項１９】
前記受信局に対して送信する前記送信信号が、前記通信権が付与されてから、最初に送信する信号であるか否かを判定する送信信号判定手段をさらに備え、
前記送信信号判定手段が、前記送信信号が前記最初に送信する信号であると判定した場合に、前記送信電力制御手段は、前記送信信号の前記送信電力を前記受信局および前記制御局が受信することができる電力に制御する、請求項１２または請求項１３に記載の無線通信装置。
【請求項２０】
前記送信信号判定手段は、前記送信信号が複数の前記受信局に対して送信する信号であるか否かをさらに判定し、
前記送信信号判定手段が、前記送信信号が前記複数の受信局に対して送信する信号であると判定した場合に、前記送信電力制御手段は、前記送信信号の前記送信電力を所定電力に制御する、請求項１９に記載の無線通信装置。
【請求項２１】
前記無線通信装置は、前記所定期間の信号の送信を許可する前記通信権を付与する機能を有する、請求項１１〜請求項２０のいずれかに記載の無線通信装置。
【請求項２２】
所定期間の信号の送信を許可する通信権を付与する制御局と、前記通信権が付与された第１の無線通信装置が送信した信号を受信することができる第２の無線通信装置とから構成される無線通信システムであって、
前記第２の無線通信装置は、
受信した受信信号を解析する受信信号解析手段と、
前記受信信号が、前記受信信号解析手段により、前記第１の無線通信装置宛に前記通信権を付与する信号であると解析された場合に、前記第１の無線通信装置との通信品質を前記所定期間内で測定する測定手段とを備える、無線通信システム。
【請求項２３】
前記第２の無線通信装置は、
前記測定手段により測定された前記通信品質の測定結果を示す信号を、前記第１の無線通信装置に送信する通信品質送信手段をさらに備える、請求項２２に記載の無線通信システム。
【請求項２４】
前記第１の無線通信装置は、
前記第２の無線通信装置に信号を送信する送信手段と、
前記第２の無線通信装置に送信する送信信号の送信電力を制御する送信電力制御手段と、
前記送信電力制御手段により制御された送信電力の情報である送信電力情報を記憶する送信電力情報記憶手段とを備え、
前記制御局により前記通信権が付与された第１の無線通信装置が、前記第２の無線通信装置から送信された前記通信品質の測定結果を受信した場合に、前記送信電力制御手段は、前記送信電力情報記憶手段に記憶されている前記送信電力情報と前記通信品質の測定結果とに基づいて、前記第２の無線通信装置に送信する前記送信信号の前記送信電力を制御する、請求項２３に記載の無線通信システム。
【請求項２５】
所定期間の信号の送信を許可する通信権を制御局から与えられた送信局と通信を行なう、受信局としての無線通信装置に測定処理を行なわせる測定方法であって、
前記送信局に前記通信権が付与されたことを認識する工程と、
前記送信局に前記通信権が付与されたことが認識された場合、前記送信局との通信品質を前記所定期間内で測定する工程とを含む、測定方法。
【請求項２６】
前記通信品質を測定する工程は、前記所定期間内で受信電界強度を測定する工程を含む、請求項２５に記載の測定方法。
【手続補正２】
【補正対象書類名】明細書
【補正対象項目名】０００５
【補正方法】変更
【補正の内容】
【０００５】
また、別のタスクグループにより定められている規格としてＩＥＥＥ８０２．１１ｅがある。ＩＥＥＥ８０２．１１ｅのドラフトでは、ＩＥＥＥ８０２．１１のＭＡＣ（Medium Access Control）規格と互換性を保ちながら、ＱｏＳ（Quality of Service）保証通信およびＤＬＳ（Direct Link Setting）の仕組み等が規定されている。ＱｏＳは、ネットワーク上でストリーム等を送
信するための帯域を確保して一定の通信速度を保証する技術である。ＤＬＳは、ＡＰを介さずに無線通信装置であって端末局であるＳＴＡ同士が直接通信を行なうための仕組みである（非特許文献２）。
【手続補正３】
【補正対象書類名】明細書
【補正対象項目名】００７１
【補正方法】変更
【補正の内容】
【００７１】
好ましくは、第１の無線通信装置は、第２の無線通信装置に信号を送信する送信手段と、第２の無線通信装置に送信する送信信号の送信電力を制御する送信電力制御手段と、送信電力制御手段により制御された送信電力の情報である送信電力情報を記憶する送信電力情報記憶手段とを備え、制御局により通信権が付与された第１の無線通信装置が、第２の無線通信装置から送信された通信品質の測定結果を受信した場合に、送信電力制御手段は、送信電力情報記憶手段に記憶されている送信電力情報と通信品質の測定結果とに基づいて、第２の無線通信装置に送信する送信信号の送信電力を制御する。
【手続補正４】
【補正対象書類名】明細書
【補正対象項目名】００７２
【補正方法】変更
【補正の内容】
【００７２】
この発明に従えば、第２の無線通信装置に送信する信号の送信電力を必要最小限に抑制することができ、無線通信装置の消費電力を低減させることができる。
【手続補正５】
【補正対象書類名】明細書
【補正対象項目名】００９３
【補正方法】変更
【補正の内容】
【００９３】
以下に、本発明の実施の形態について図面を参照しながら詳細に説明する。以下の説明では、同一の部品には同一の符号を付してある。それらの名称および機能も同じである。従って、それらについての詳細な説明は繰り返さない。
［実施の形態１］
図１から図１０までを参照して実施の形態１について説明する。実施の形態１では、通信権を付与されたＳＴＡ１０２が、ＳＴＡ１０３にストリームデータを送信するときに如何にして送信電力を制御するかについて説明する。実施の形態１では、ＳＴＡ１０２からＳＴＡ１０３にストリームの識別子であるＴＳＩＤが「１５」のストリームデータが送信されるとする。以下においては、ＴＳＩＤ（Traffic Stream IDentifier）が、Ｌ（自然数）であるストリームデータをＴＳＩＤＬと表現する。
【手続補正６】
【補正対象書類名】明細書
【補正対象項目名】０１０６
【補正方法】変更
【補正の内容】
【０１０６】
なお、ＳＴＡ１０３の通信品質送信手段２４５は、ＡＰ１０１に通信権の付与を要求して、ＡＰ１０１から通信権が付与されたときに通信品質情報を示すフレームを送信してもよいし、通信権が付与されなくても通信帯域をいち早く獲得した無線通信装置が他の無線通信装置にフレームを送信することができる期間（ＣＰ期間（Contention Period）もしくはＥＤＣＡ（Enhanced Distributed Channel Access）期間）に通信品質情報を示すフレームを送信してもよいし、通信品質を測定している期間中に受信応答（たとえば、ＡＣＫフレーム）を送信するときに、通信品質情報を組み込んで送信してもよい。
【手続補正７】
【補正対象書類名】明細書
【補正対象項目名】０１１５
【補正方法】変更
【補正の内容】
【０１１５】
フレーム処理部２２０は、初期パラメータとして、たとえば、送信電力上限（ｕｐｐｅｒ＿ｔｈ）、受信電力下限（ｌｏｗｅｒ＿ｔｈ）、およびマージン（ｍａｒｇｉｎ）等を設定する。フレーム処理部２２０は、ｕｐｐｅｒ＿ｔｈとして、たとえば、法律上許容される上限の電力あるいはＳＴＡ１０２の性能限界である電力などを設定する。実施の形態１では、フレーム処理部２２０は、ｕｐｐｅｒ＿ｔｈとして、たとえば、「２０」を設定する。フレーム処理部２２０は、ｌｏｗｅｒ＿ｔｈとして、無線通信規格上許容される下限の電力あるいはＳＴＡ１０３が安定してフレームを受信できる性能限界である電力を設定する。実施の形態１では、フレーム処理部２２０は、ｌｏｗｅｒ＿ｔｈとして、たとえば、「−８０」を設定する。フレーム処理部２２０は、ｍａｒｇｉｎとして、たとえば、無線通信路上のフェーディングやシャドーイング等の影響による電力の落ち込みを許容するための電力を設定する。実施の形態１では、フレーム処理部２２０は、ｍａｒｇｉｎとして、たとえば、「１０」を設定する。「ｌｏｗｅｒ＿ｔｈ＋ｍａｒｇｉｎ」は、受信局であるＳＴＡ１０３における受信電力目標となるが、この目標値は、ここではＳＴＡ１０３からＳＴＡ１０２にあらかじめ通知されているものとする。
【手続補正８】
【補正対象書類名】明細書
【補正対象項目名】０１２１
【補正方法】変更
【補正の内容】
【０１２１】
Ｓ９４０において、フレーム処理部２２０は、「（ＴＸ＿Ｐｏｗｅｒ−ＲＳＳＩ）＋ｌｏｗｅｒ＿ｔｈ＋ｍａｒｇｉｎ」の式に基づいて送信電力の値を求める。ここでＲＳＳＩ（Receive Signal Strength Indicator）は、ＳＴＡ１０３から受信したフレームに示される通信品質情報から求める、ＳＴＡ１０３が受信した割合が最も高い受信電界強度のことである。図４８に示されるフォーマットで受信した通信品質情報においてＲＰＩ６の受信電界強度の割合が最も大きいときは、ＳＴＡ１０２のフレーム処理部２２０は、図４９のテーブルを参照して、たとえば、ＲＳＳＩを「−６０」として計算する。図８に示される記憶テーブルを用いて送信電力の値を求めると、送信電力は「１０」となる。但し、「（ＴＸ＿Ｐｏｗｅｒ−ＲＳＳＩ）＋ｌｏｗｅｒ＿ｔｈ＋ｍａｒｇｉｎ」の式に基づいて求められた送信電力の値がｕｐｐｅｒ＿ｔｈを超えるときは、フレーム処理部２２０は、ｕｐｐｅｒ＿ｔｈ以下の値を送信電力の値に設定する。
【手続補正９】
【補正対象書類名】明細書
【補正対象項目名】０１２４
【補正方法】変更
【補正の内容】
【０１２４】
図５、図１１から図１４まで、および図４８を参照して、実施の形態１の変形例１について説明する。なお、図５の記憶部５１５には送信電力情報と送信電力制御時刻を記憶するための記憶テーブルが構成されている。他は、前述した構成と同じであるので詳細な説明を繰り返さない。
【手続補正１０】
【補正対象書類名】明細書
【補正対象項目名】０１２５
【補正方法】変更
【補正の内容】
【０１２５】
図１１は、ＳＴＡ１０２が実行する通信品質情報、通信品質測定開始時刻、送信電力情報および送信電力制御時刻に基づいて制御した送信電力の送信電力情報と送信電力制御時刻を記憶テーブルに追加、更新する処理を示すフローチャートである。Ｓ１１００からＳ１１３０までの処理は、実施の形態１の図９に示すＳ９００からＳ９３０までの処理と同様であるので詳細な説明を繰り返さない。この実施の形態１の変形例１では、実施の形態１と同様にＳＴＡ１０３は、ＳＴＡ１０２宛に通信品質情報を示すフレームを送信する。従って、ＳＴＡ１０２のフレーム処理部２２０は、Ｓ１１２０でＹｅｓの判断をし、Ｓ１１２５でＹｅｓの判断をして、Ｓ１１３０に進むことになる。
【手続補正１１】
【補正対象書類名】明細書
【補正対象項目名】０１５８
【補正方法】変更
【補正の内容】
【０１５８】
またＳ２５２５において、フレーム処理部２２０は、たとえば、記憶テーブルが図２７の状態であって、受信フレームのＭｅａｓｕｒｅｍｅｎｔ  Ｓｔａｒｔ  Ｔｉｍｅ４００３の値が「９０００」であった場合、Ｎｏと判断して、記憶テーブルへの通信品質情報と通信品質測定開始時刻の追加、更新処理を行なうことなくこのフローチャートを終了する。
【手続補正１２】
【補正対象書類名】明細書
【補正対象項目名】０１６２
【補正方法】変更
【補正の内容】
【０１６２】
Ｓ３００５において、送信電力制御手段であるフレーム処理部２２０は、上位処理部２２５から送信するフレームのヘッダ情報とペイロードデータを受信する。
【手続補正１３】
【補正対象書類名】明細書
【補正対象項目名】０２０２
【補正方法】変更
【補正の内容】
【０２０２】
Ｓ３７３０において、フレーム処理部２２０は、フレームの送信先であるＳＴＡ１０３と制御局であるＡＰ１０１とのそれぞれにおいて「（ＴＸ＿Ｐｏｗｅｒ−ＲＳＳＩ）＋ｌｏｗｅｒ＿ｔｈ＋ｍａｒｇｉｎ」の式に基づいて送信電力の値を求め、両者のうち大きい方の値を送信電力に設定する。但し、求めた値がｕｐｐｅｒ＿ｔｈの値を超えるときは、ｕｐｐｅｒ＿ｔｈ以下の値を送信電力に設定する。たとえば、記憶テーブルが図３４の状態であったとき、ＳＴＡ１０３の値が「１０」、ＡＰ１０１の値が「１５」となり、送信電力を「１５」に設定する。その後、このフローチャートを終了する。
【手続補正１４】
【補正対象書類名】明細書
【補正対象項目名】０２１９
【補正方法】変更
【補正の内容】
【０２１９】
Ｓ５０００では、通信品質測定手段２４０が、Ｐｏｌｌフレームで割り当てられた所定時間を読み出す。その後、ステップＳ５００５に進む。Ｓ５００５では、受信部２１０が変調されたフレームを受信し、復調部２１５が、受信され、変調されたフレームを復調し、フレーム処理部２２０は復調されたフレームを復元する。その後、ステップＳ５０１０に進む。
【手続補正１５】
【補正対象書類名】明細書
【補正対象項目名】０２２０
【補正方法】変更
【補正の内容】
【０２２０】
Ｓ５０１０では、フレーム処理部２２０が、復元されたフレームがＰｏｌｌフレームの直後に受信したフレームか否かを判定する。Ｐｏｌｌフレームの直後に受信したフレームであった場合は、Ｓ５０１５の受信フレームの品質測定を行なうことなく、Ｓ５０２０に進む。
【手続補正１６】
【補正対象書類名】明細書
【補正対象項目名】０２２３
【補正方法】変更
【補正の内容】
【０２２３】
上述の実施の形態３によって、実施の形態２で示すように、Ｐｏｌｌフレームの直後に送信するフレームを制御局であるＡＰ１０１も受信できるように送信電力を制御し、送信した場合であっても、通信品質測定情報からＰｏｌｌフレームの直後のフレームは除外されるため、ＳＴＡ１０２はこの通信品質測定情報を用いて、適切に送信電力制御を行なうことができるようになる。
［実施の形態４］
次に実施の形態４について説明する。この実施の形態４では、Ｐｏｌｌフレームで割り当てられた所定時間内で通信品質測定を行っている間に、所定時間の終了を示すフレームを受信した場合、通信品質の測定を中断する処理について説明する。実施の形態４では、図３９を用いて説明するが、上述の実施の形態３の図３８と同一の処理には同一の番号を付し、その処理の詳細な説明は繰り返さない。なお、図３９に示す処理は、ＳＴＡ１０３が実行する。以下においては、図３８に示す処理と異なる処理について説明する。
【手続補正１７】
【補正対象書類名】明細書
【補正対象項目名】０２２６
【補正方法】変更
【補正の内容】
【０２２６】
上述の実施の形態４によって、ＳＴＡ１０２が、制御局であるＡＰ１０１によって付与された通信権を返却した場合に、Ｐｏｌｌフレームで定められた所定時間を切り上げて測定を終了することで、送信電力制御に不要な通信品質情報を除くことができる。
【手続補正１８】
【補正対象書類名】明細書
【補正対象項目名】０２３１
【補正方法】変更
【補正の内容】
【０２３１】
図４０に示すように、ＡＰ／ＨＣ１０４は制御局であると同時に、ＳＴＡ１０２からフレームを送信される受信局でもある。したがって、ＡＰ／ＨＣ１０４は、ＳＴＡ１０２に対して、フレームの送信を所定期間許可する通信権を付与するＰｏｌｌフレームを送信した場合に、上述実施の形態１等と同様に、ＳＴＡ１０２に対して付与した通信権の所定期間において、通信品質の測定を行なう。
【手続補正１９】
【補正対象書類名】明細書
【補正対象項目名】０２３２
【補正方法】変更
【補正の内容】
【０２３２】
具体的には、たとえば、ＳＴＡ１０２へ送信する送信フレームを、ＡＰ／ＨＣ１０４の送信フレーム判定手段３５０５がＰｏｌｌフレームであると判定した場合に、通信品質測定手段２４０において、Ｐｏｌｌフレームで割り当てられる所定期間内で通信品質の測定を行なう。
【手続補正２０】
【補正対象書類名】明細書
【補正対象項目名】０２３４
【補正方法】変更
【補正の内容】
【０２３４】
Ｐｏｌｌフレームによって示された送信許可期間において、ＡＰ／ＨＣ１０４はＳＴＡ１０２から送信されるフレームの通信品質を測定する。なお、Ｐｏｌｌフレームによって示された送信許可期間は、Ｐｏｌｌフレームで割り当てられる所定期間と同じ時間である。送信許可期間が終了すると、ＡＰ／ＨＣ１０４は、通信品質の測定を終了し、測定情報を含むフレームをＳＴＡ１０２へ送信する。
【手続補正２１】
【補正対象書類名】明細書
【補正対象項目名】０２３５
【補正方法】変更
【補正の内容】
【０２３５】
上述の実施の形態５における受信局兼制御局によれば、送信するＰｏｌｌフレームで割り当てられた所定期間内で通信品質を測定することで、干渉を排除して通信品質を測定することができる。
［実施の形態５の変形例］
次に実施の形態５の変形例について説明する。この実施の形態５の変形例では、上述の実施の形態５と相違する点を主として説明する。実施の形態５では、制御局が、ＳＴＡ１０２からフレームを送信される受信局でもあるアップリンクの形態の場合について説明した。
【手続補正２２】
【補正対象書類名】明細書
【補正対象項目名】０２４０
【補正方法】変更
【補正の内容】
【０２４０】
図４４は、ダウンリンクにおけるフレームの送受信を示した図である。ＡＰ／ＨＣ１０４は通信権付与のためのＰｏｌｌフレームを送信せずにＳＴＡ１０３に対してデータフレームの送信を開始する。ＳＴＡ１０３は上述のように、受信したフレームのＤｕｒａｔｉｏｎ／ＩＤ３１０フィールド等を参照する。そして、ＳＴＡ１０３はフレームの送信を許可する通信権の所定期間開始を認識して、所定期間内でＡＰ／ＨＣ１０４から送信されるフレームの通信品質を測定する。所定期間が終了すると、通信品質の測定を終了し、測定情報を含むフレームをＡＰ／ＨＣ１０４へ送信する。
【手続補正２３】
【補正対象書類名】明細書
【補正対象項目名】０２４２
【補正方法】変更
【補正の内容】
【０２４２】
なお、実施の形態５の変形例では、受信フレームのＤｕｒａｔｉｏｎ／ＩＤ３１０フィールドを参照する例について説明したが、これに限定されるものではない。例えば、図３のＱｏＳ＿Ｃｏｎｔｒｏｌ３２０フィールドを参照しても良い。また、Ｆｒａｍｅ＿Ｃｏｎｔｒｏｌ３０５フィールドがＱｏＳデータフレームであることを示すことを判定要素としても良い。
【手続補正２４】
【補正対象書類名】明細書
【補正対象項目名】０２４４
【補正方法】変更
【補正の内容】
【０２４４】
【図１】１つのＢＳＳ（Basic Service Set）で構成されるインフラストラクチャネットワークの概略を示す図である。
【図２】通信品質の測定を行なうＳＴＡの機能ブロック図である。
【図３】フレームフォーマットの一例を示す図である。
【図４】ＳＴＡが実行する通信品質を測定する処理を示すフローチャートである。
【図５】通信品質情報を受信して送信電力を制御するＳＴＡの機能ブロック図である。
【図６】ＳＴＡが実行するフレームの送信電力を制御する処理を示すフローチャートである。
【図７】送信電力情報を記憶することができる記憶テーブルの初期状態を示す図である。
【図８】送信電力情報が記憶されている記憶テーブルの一例を示す図である。
【図９】ＳＴＡが実行する通信品質情報に基づいて制御した送信電力を送信電力情報として記憶テーブルに追加、更新する処理を示すフローチャートである。
【図１０】送信電力情報が記憶されている記憶テーブルの一例を示す図である。
【図１１】ＳＴＡが実行する通信品質情報、通信品質測定開始時刻、送信電力情報および送信電力制御時刻に基づいて制御した送信電力の送信電力情報と送信電力制御時刻を記憶テーブルに追加、更新する処理を示すフローチャートである。
【図１２】送信電力情報と送信電力制御時刻とを記憶することができる記憶テーブルの初期状態を示す図である。
【図１３】送信電力情報と送信電力制御時刻とが記憶さている記憶テーブルの一例を示す図である。
【図１４】送信電力情報と送信電力制御時刻が記憶されている記憶テーブルの一例を示す図である。
【図１５】ＳＴＡが実行する通信品質情報を記憶テーブルに追加、更新する処理を示すフローチャートである。
【図１６】通信品質情報を記憶することができる記憶テーブルの初期状態を示す図である。
【図１７】通信品質情報が記憶されている記憶テーブルの一例を示す図である。
【図１８】送信電力情報および通信品質情報を記憶することができる記憶テーブルの初期状態を示す図である。
【図１９】通信品質情報が記憶されている記憶テーブルの一例を示す図である。
【図２０】送信電力情報および通信品質情報を記憶することができる記憶テーブルの初期状態を示す図である。
【図２１】通信品質情報が記憶されている記憶テーブルの一例を示す図である。
【図２２】ＳＴＡが実行する通信品質情報および送信電力情報に基づいて制御した送信電力を送信電力情報として記憶テーブルに追加、更新する処理を示すフローチャートである。
【図２３】送信電力情報が記憶されている記憶テーブルの一例を示す図である。
【図２４】通信品質情報および送信電力情報が記憶されている記憶テーブルの一例を示す図である。
【図２５】ＳＴＡが実行する通信品質情報と通信品質測定開始時刻を記憶テーブルに追加、更新する処理を示すフローチャートである。
【図２６】通信品質情報と通信品質測定開始時刻とを記憶することができる記憶テーブルの初期状態を示す図である。
【図２７】通信品質情報と通信品質測定開始時刻とが記憶さている記憶テーブルの一例を示す図である。
【図２８】送信電力情報および送信電力制御時刻と、通信品質情報および通信品質測定開始時刻とを記憶することができる記憶テーブルの初期状態を示す図である。
【図２９】送信電力情報および送信電力制御時刻と、通信品質情報および通信品質測定開始時刻とが記憶されている記憶テーブルの一例を示す図である。
【図３０】ＳＴＡが実行するフレームの送信電力の制御と、送信電力情報および送信電力制御時刻を記憶テーブルへ追加・更新する処理とを示すフローチャートである。
【図３１】送信電力情報および送信電力制御時刻と、通信品質測定開始時刻とが記憶されている記憶テーブルの一例を示す図である。
【図３２】送信電力情報および送信電力制御時刻と、通信品質情報および通信品質測定開始時刻とが記憶されている記憶テーブルの一例を示す図である。
【図３３】送信電力情報および送信電力制御時刻と、通信品質情報および通信品質測定開始時刻とが記憶されている記憶テーブルの一例を示す図である。
【図３４】通信品質情報および送信電力情報が記憶されている記憶テーブルの一例を示す図である。
【図３５】通信品質情報を受信して送信電力を制御するＳＴＡの機能ブロック図である。
【図３６】ＳＴＡが同報フレームを送信するときに実行する送信電力を制御する処理を示したフローチャートである。
【図３７】ＳＴＡが実行する通信権が付与された直後に送信するフレームの送信電力制御処理を示したフローチャートである。
【図３８】Ｐｏｌｌフレームの直後に受信したフレームを通信品質の測定対象から除く処理を示したフローチャートである。
【図３９】Ｐｏｌｌフレームで割り当てられた所定時間内で通信品質測定を行っている間に、所定時間の終了を示すフレームを受信した場合、通信品質の測定を中断する処理を示したフローチャートである。
【図４０】ＢＳＳで構成されるインフラストラクチャネットワークがアップリンク形態であることを示す図である。
【図４１】ＡＰ／ＨＣの機能ブロック図である。
【図４２】アップリンク形態において、通信品質測定とその測定情報の送信の流れを示す図である。
【図４３】ＢＳＳで構成されるインフラストラクチャネットワークがダウンリンク形態であることを示す図である。
【図４４】ダウンリンク形態において、通信品質測定とその測定情報の送信の流れを示す図である。
【図４５】１つのＢＳＳで構成されるインフラストラクチャネットワークの概略を示す図である。
【図４６】送信側のＳＴＡが送信電力を制御してフレームを送信する処理の流れを示す図である。
【図４７】フレーム（Measurement Request Frame）の一部のフレームフォーマットを示す図である。
【図４８】フレーム（Measurement Report Frame）の一部のフレームフォーマットを示す図である。
【図４９】ＲＰＩ（Receive Power Indicator）ヒストグラム情報の受信レベル毎の定義を示した図である。
【手続補正２５】
【補正対象書類名】図面
【補正対象項目名】図２５
【補正方法】変更
【補正の内容】
【図２５】
2006191532.tif 000052
【手続補正２６】
【補正対象書類名】図面
【補正対象項目名】図３８
【補正方法】変更
【補正の内容】
【図３８】
2006191532.tif 000053